(57)【要約】本発明の実施形態は、通信分野に関し、アップリンクリソース及びダウンリンクリソースの浪費を低減するために、グループ通信方法、装置及びシステムを提供する。本方法は、グループ通信サーバが、第１のユーザ機器による送信待ちのグループ通信データと、第１のセルのセル識別子とを取得するステップであって、第１のセルは第１のユーザ機器にサービスを提供する、ステップと、グループ通信サーバが、第１のセルのセル識別子に従って、第１の事前設定された対応関係から、第１のセルのセル識別子に対応する第１のモバイルグループのグループ識別子を取得するステップと、グループ通信サーバが、第１のモバイルグループのグループ識別子に従って、第１のモバイルグループの第１のユーザ機器以外のユーザ機器にグループ通信データを送信するステップと、を含む。
2019502334.tif 000002
【特許請求の範囲】
【請求項１】
グループ通信サーバが、第１のユーザ機器による送信待ちのグループ通信データと、第１のセルのセル識別子とを取得するステップであって、前記第１のセルは前記第１のユーザ機器にサービスを提供する、ステップと、
前記グループ通信サーバが、前記第１のセルの前記セル識別子に従って、第１の事前設定された対応関係から、前記第１のセルの前記セル識別子に対応する第１のモバイルグループのグループ識別子を取得するステップであって、前記第１の事前設定された対応関係は、前記第１のセルの前記セル識別子と、前記第１のモバイルグループの前記グループ識別子とを記憶している、ステップと、
前記グループ通信サーバが、前記第１のモバイルグループの前記グループ識別子に従って、前記第１のモバイルグループの前記第１のユーザ機器以外のユーザ機器に前記グループ通信データを送信するステップと、
を含むグループ通信方法。
【請求項２】
グループ通信サーバが、第１のユーザ機器による送信待ちのグループ通信データと、前記第１のユーザ機器が属する第１のセルのセル識別子とを取得する前記ステップは、
前記グループ通信サーバが、前記第１のユーザ機器又は基地局によって送信された第１のグループ通信情報を受信及び解析するステップであって、前記第１のグループ通信情報は、前記グループ通信データと前記第１のセルの前記セル識別子とを含み、前記基地局は、前記第１のユーザ機器にサービスを提供する、ステップ、
を含む、請求項１に記載のグループ通信方法。
【請求項３】
前記第１のモバイルグループの前記グループ識別子は、前記第１のモバイルグループの通信レイヤグループ識別子、前記第１のモバイルグループのアプリケーションレイヤグループ識別子、又は前記第１のモバイルグループのエリア識別子である、
請求項１に記載のグループ通信方法。
【請求項４】
第１のユーザ機器が、第１の識別子を取得するステップであって、前記第１の識別子は、第１のセルのセル識別子又は第１のモバイルグループのグループ識別子であり、前記第１のセルは前記第１のユーザ機器にサービス提供し、前記グループ通信サーバは、前記第１のモバイルグループにおいてのみ、前記第１のユーザ機器とグループ通信データを伝送する、ステップと、
前記第１のユーザ機器が、前記第１の識別子及び送信待ちのグループ通信データを前記グループ通信サーバに送信するステップと、
を含むグループ通信方法。
【請求項５】
第１のユーザ機器が第１のモバイルグループのグループ識別子を取得する前記ステップは、
前記第１のユーザ機器が、前記第１のユーザ機器の位置する前記第１のセルの前記セル識別子を取得するステップと、
前記第１のユーザ機器が、前記第１のセルの前記セル識別子に従って、第２の事前設定された対応関係から、前記第１のセルの前記セル識別子に対応する前記第１のモバイルグループの前記グループ識別子を取得するステップであって、前記第２の事前設定された対応関係は、前記第１のセルの前記セル識別子と、前記第１のモバイルグループの前記グループ識別子とを記憶している、ステップと、
を含む、請求項４に記載のグループ通信方法。
【請求項６】
前記第１のモバイルグループの前記グループ識別子は、前記第１のモバイルグループの通信レイヤグループ識別子、前記第１のモバイルグループのアプリケーションレイヤグループ識別子、又は前記第１のモバイルグループのエリア識別子である、
請求項４又は５に記載のグループ通信方法。
【請求項７】
前記第１のモバイルグループの前記グループ識別子は、前記第１のモバイルグループの前記アプリケーションレイヤグループ識別子であり、
前記第１のユーザ機器が、前記第１のモバイルグループの前記アプリケーションレイヤグループ識別子を取得する前記ステップは、
前記第１のユーザ機器が、前記第１のモバイルグループの前記通信レイヤグループ識別子を取得するステップと、
前記第１のユーザ機器が、前記第１のモバイルグループの前記通信レイヤグループ識別子に従って、第３の事前設定された対応関係から、前記第１のモバイルグループの前記通信レイヤグループ識別子に対応する前記第１のモバイルグループの前記アプリケーションレイヤグループ識別子を取得するステップであって、前記第３の事前設定された対応関係は、前記第１のモバイルグループの前記通信レイヤグループ識別子と、前記第１のモバイルグループの前記アプリケーションレイヤグループ識別子とを記憶している、ステップと、
を含む、請求項６に記載のグループ通信方法。
【請求項８】
前記第１のユーザ機器が、前記第１のモバイルグループの前記通信レイヤグループ識別子を取得する前記ステップは、
前記第１のユーザ機器が、基地局によってブロードキャストされた第１のメッセージを受信するステップであって、前記第１のメッセージは、少なくとも２つのモバイルグループの通信レイヤグループ識別子を含み、前記第１のモバイルグループは、前記少なくとも２つのモバイルグループのうち１つであり、前記第１のモバイルグループの前記通信レイヤグループ識別子は、前記第１のメッセージの事前設定された位置に配置され、前記基地局は、前記第１のユーザ機器にサービスを提供する、ステップと、
前記第１のユーザ機器が、前記第１のメッセージの前記事前設定された位置から、前記第１のモバイルグループの前記通信レイヤグループ識別子を抽出するステップと、
を含む、請求項４又は７に記載のグループ通信方法。
【請求項９】
前記第１のユーザ機器が、前記第１のモバイルグループの前記通信レイヤグループ識別子を取得する前記ステップは、
前記第１のユーザ機器が、基地局に性能メッセージを送信するステップであって、前記性能メッセージは少なくとも属性情報を含み、前記属性情報は、前記第１のユーザ機器がグループ通信ネットワーク上のユーザ機器であることを示すのに用いられ、前記基地局は、前記第１のユーザ機器にサービスを提供する、ステップと、
前記第１のユーザ機器が、前記基地局によって送信された第２のメッセージを受信するステップであって、前記第２のメッセージは、少なくとも前記第１のモバイルグループの前記通信レイヤグループ識別子を含む、ステップと、
前記第１のユーザ機器が、前記第２のメッセージから前記第１のモバイルグループの前記通信レイヤグループ識別子を抽出するステップと、
を含む、請求項４又は７に記載のグループ通信方法。
【請求項１０】
グループ通信方法であって、
基地局が、第１のモバイルグループの通信レイヤグループ識別子を第１のユーザ機器に送信するステップ、
を含み、グループ通信サーバは、前記第１のモバイルグループにおいてのみ、前記第１のユーザ機器とグループ通信データを伝送し、前記基地局は、前記第１のユーザ機器にサービスを提供する、
グループ通信方法。
【請求項１１】
基地局が第１のモバイルグループの通信レイヤグループ識別子を第１のユーザ機器に送信する前記ステップは、
前記基地局が、第１のメッセージをブロードキャストするステップであって、前記第１のメッセージは、少なくとも２つのモバイルグループの通信レイヤグループ識別子を含み、前記第１のモバイルグループは、前記少なくとも２つのモバイルグループのうち１つであり、前記第１のモバイルグループの前記通信レイヤグループ識別子は、前記第１のメッセージの事前設定された位置に配置される、ステップ、
を含む、請求項１０に記載のグループ通信方法。
【請求項１２】
基地局が第１のモバイルグループの通信レイヤグループ識別子を第１のユーザ機器に送信する前記ステップは、
前記基地局が、前記第１のユーザ機器によって送信された性能メッセージを受信するステップであって、前記性能メッセージは少なくとも属性情報を含み、前記属性情報は、前記第１のユーザ機器がグループ通信ネットワーク上のユーザ機器であることを示すのに用いられる、ステップと、
前記基地局が、前記属性情報に従って、前記第１のモバイルグループの前記通信レイヤグループ識別子を決定するステップと、
前記基地局が、前記第１のユーザ機器に第２のメッセージを送信するステップであって、前記第２のメッセージは、少なくとも前記第１のモバイルグループの前記通信レイヤグループ識別子を含む、ステップと、
を含む、請求項１０に記載のグループ通信方法。
【請求項１３】
グループ通信方法であって、
基地局が、第１のユーザ機器によって送信された第２のグループ通信情報を解析するステップであって、前記第２のグループ通信情報は、グループ通信サービス識別子と、前記第１のユーザ機器による送信待ちのグループ通信データとを含み、前記グループ通信サービス識別子は、前記第１のユーザ機器の位置するネットワークがグループ通信ネットワークであることを表すのに用いられ、前記基地局は、前記第１のユーザ機器にサービスを提供する、ステップと、
前記基地局が、前記グループ通信サービス識別子に従って、前記第１のユーザ機器の属する第１のセルのセル識別子と、前記第２のグループ通信情報とを、グループ通信サーバに送信するステップと、
を含むグループ通信方法。
【請求項１４】
グループ通信サーバであって、
第１のユーザ機器による送信待ちのグループ通信データと、第１のセルのセル識別子とを取得するように構成される取得ユニットであって、前記第１のセルは前記第１のユーザ機器にサービスを提供し、前記第１のセルの前記セル識別子に従って、第１の事前設定された対応関係から、前記第１のセルの前記セル識別子に対応する第１のモバイルグループのグループ識別子を取得するように構成され、前記第１の事前設定された対応関係は、前記第１のセルの前記セル識別子と、前記第１のモバイルグループの前記グループ識別子とを記憶している、取得ユニットと、
前記取得ユニットによって取得された前記第１のモバイルグループの前記グループ識別子に従って、前記第１のモバイルグループの前記第１のユーザ機器以外のユーザ機器に、前記グループ通信データを送信するように構成される送信ユニットと、
を備えるグループ通信サーバ。
【請求項１５】
前記取得ユニットは、具体的には、前記第１のユーザ機器又は基地局によって送信された第１のグループ通信情報を受信及び解析するように構成され、前記第１のグループ通信情報は、前記グループ通信データと前記第１のセルの前記セル識別子とを含み、前記基地局は、前記第１のユーザ機器にサービスを提供する、
請求項１４に記載のグループ通信サーバ。
【請求項１６】
前記第１のモバイルグループの前記グループ識別子は、前記第１のモバイルグループの通信レイヤグループ識別子、前記第１のモバイルグループのアプリケーションレイヤグループ識別子、又は前記第１のモバイルグループのエリア識別子である、
請求項１４に記載のグループ通信サーバ。
【請求項１７】
ユーザ機器であって、
第１の識別子を取得するように構成される取得ユニットであって、前記第１の識別子は、第１のセルのセル識別子又は第１のモバイルグループのグループ識別子であり、前記第１のセルは前記ユーザ機器にサービス提供し、前記グループ通信サーバは、前記第１のモバイルグループにおいてのみ、前記ユーザ機器とグループ通信データを伝送する、取得ユニットと、
前記取得ユニットによって取得された前記第１の識別子と、送信待ちのグループ通信データとを、前記グループ通信サーバに送信するように構成される送信ユニットと、
を備えるユーザ機器。
【請求項１８】
前記取得ユニットは、具体的には、
前記ユーザ機器の位置する前記第１のセルの前記セル識別子を取得するように構成され、
前記第１のセルの前記セル識別子に従って、第２の事前設定された対応関係から、前記第１のセルの前記セル識別子に対応する前記第１のモバイルグループの前記グループ識別子を取得するように構成され、前記第２の事前設定された対応関係は、前記第１のセルの前記セル識別子と、前記第１のモバイルグループの前記グループ識別子とを記憶している、
請求項１７に記載のユーザ機器。
【請求項１９】
前記第１のモバイルグループの前記グループ識別子は、前記第１のモバイルグループの通信レイヤグループ識別子、前記第１のモバイルグループのアプリケーションレイヤグループ識別子、又は前記第１のモバイルグループのエリア識別子である、
請求項１７又は１８に記載のユーザ機器。
【請求項２０】
前記第１のモバイルグループの前記グループ識別子は、前記第１のモバイルグループの前記アプリケーションレイヤグループ識別子であり、
前記取得ユニットは、具体的には、
前記第１のモバイルグループの前記通信レイヤグループ識別子を取得するように構成され、
前記第１のモバイルグループの前記通信レイヤグループ識別子に従って、第３の事前設定された対応関係から、前記第１のモバイルグループの前記通信レイヤグループ識別子に対応する前記第１のモバイルグループの前記アプリケーションレイヤグループ識別子を取得するように構成され、前記第３の事前設定された対応関係は、前記第１のモバイルグループの前記通信レイヤグループ識別子と、前記第１のモバイルグループの前記アプリケーションレイヤグループ識別子とを記憶している、
請求項１９に記載のユーザ機器。
【請求項２１】
前記第１のモバイルグループの前記グループ識別子は、前記第１のモバイルグループの前記アプリケーションレイヤグループ識別子であり、前記ユーザ機器は更に受信ユニットを備え、
前記受信ユニットは、基地局によってブロードキャストされた第１のメッセージを受信するように構成され、前記第１のメッセージは、少なくとも２つのモバイルグループの通信レイヤグループ識別子を含み、前記第１のモバイルグループは、前記少なくとも２つのモバイルグループのうち１つであり、前記第１のモバイルグループの前記通信レイヤグループ識別子は、前記第１のメッセージの事前設定された位置に配置され、前記基地局は、前記ユーザ機器にサービスを提供し、
前記取得ユニットは抽出サブユニットを有し、
前記抽出サブユニットは、前記受信ユニットによって受信された前記第１のメッセージの前記事前設定された位置から、前記第１のモバイルグループの前記通信レイヤグループ識別子を抽出するように構成される、
請求項１７又は１９に記載のユーザ機器。
【請求項２２】
前記第１のモバイルグループの前記グループ識別子は、前記第１のモバイルグループの前記アプリケーションレイヤグループ識別子であり、
前記送信ユニットは、基地局に性能メッセージを送信するように構成され、前記性能メッセージは少なくとも属性情報を含み、前記属性情報は、前記ユーザ機器がグループ通信ネットワーク上のユーザ機器であることを示すのに用いられ、前記基地局は、前記ユーザ機器にサービスを提供し、
前記ユーザ機器は更に受信ユニットを備え、
前記受信ユニットは、前記基地局によって送信された第２のメッセージを受信するように構成され、前記第２のメッセージは、少なくとも前記第１のモバイルグループの前記通信レイヤグループ識別子を含み、
前記取得ユニットは抽出サブユニットを有し、
前記抽出サブユニットは、前記受信ユニットによって受信された前記第２のメッセージから、前記第１のモバイルグループの前記通信レイヤグループ識別子を抽出するように構成される、
請求項１７又は１９に記載のユーザ機器。
【請求項２３】
基地局であって、
第１のモバイルグループの通信レイヤグループ識別子を第１のユーザ機器に送信するように構成される送信ユニット、
を備え、グループ通信サーバは、前記第１のモバイルグループにおいてのみ、前記第１のユーザ機器とグループ通信データを伝送し、前記基地局は、前記第１のユーザ機器にサービスを提供する、
基地局。
【請求項２４】
前記送信ユニットは、具体的には、第１のメッセージをブロードキャストするように構成され、前記第１のメッセージは、少なくとも２つのモバイルグループの通信レイヤグループ識別子を含み、前記第１のモバイルグループは、前記少なくとも２つのモバイルグループのうち１つであり、前記第１のモバイルグループの前記通信レイヤグループ識別子は、前記第１のメッセージの事前設定された位置に配置される、
請求項２３に記載の基地局。
【請求項２５】
前記基地局は更に受信ユニットを備え、
前記受信ユニットは、前記第１のユーザ機器によって送信された性能メッセージを受信するように構成され、前記性能メッセージは少なくとも属性情報を含み、前記属性情報は、前記第１のユーザ機器がグループ通信ネットワーク上のユーザ機器であることを示すのに用いられ、
前記基地局は更に決定ユニットを備え、
前記決定ユニットは、前記受信ユニットによって受信された前記属性情報に従って、前記第１のモバイルグループの前記通信レイヤグループ識別子を決定するように構成され、
前記送信ユニットは、具体的には、前記第１のユーザ機器に第２のメッセージを送信するように構成され、前記第２のメッセージは、少なくとも、前記決定ユニットによって決定された前記第１のモバイルグループの前記通信レイヤグループ識別子を含む、
請求項２３に記載の基地局。
【請求項２６】
基地局であって、
第１のユーザ機器によって送信された第２のグループ通信情報を解析するように構成される解析ユニットであって、前記第２のグループ通信情報は、グループ通信サービス識別子と、前記第１のユーザ機器による送信待ちのグループ通信データとを含み、前記グループ通信サービス識別子は、前記第１のユーザ機器の位置するネットワークがグループ通信ネットワークであることを表すのに用いられ、前記基地局は、前記第１のユーザ機器にサービスを提供する、解析ユニットと、
前記解析ユニットによって取得された前記グループ通信サービス識別子に従って、前記第１のユーザ機器の属する第１のセルのセル識別子と、前記第２のグループ通信情報とを、グループ通信サーバに送信するように構成される送信ユニットと、
を備える基地局。
【請求項２７】
インタフェース回路、プロセッサ、メモリ及びシステムバスを備えるグループ通信サーバであって、
前記メモリは、第１の事前設定された対応関係及び第３の事前設定された対応関係を記憶するように構成され、前記インタフェース回路、前記プロセッサ及び前記メモリは、前記システムバスに接続され、
前記グループ通信サーバの動作時、前記グループ通信サーバは請求項１乃至３のいずれか一項に記載のグループ通信方法を実行する、
グループ通信サーバ。
【請求項２８】
インタフェース回路、プロセッサ、メモリ及びシステムバスを備えるユーザ機器であって、
前記メモリは、コンピュータ実行可能命令及び第２の事前設定された対応関係を記憶するように構成され、前記インタフェース回路、前記プロセッサ及び前記メモリは、前記システムバスに接続され、
前記ユーザ機器の動作時、前記ユーザ機器は請求項４乃至９のいずれか一項に記載のグループ通信方法を実行する、
ユーザ機器。
【請求項２９】
インタフェース回路、プロセッサ、メモリ及びシステムバスを備える基地局であって、
前記メモリは、コンピュータ実行可能命令を記憶するように構成され、前記インタフェース回路、前記プロセッサ及び前記メモリは、前記システムバスに接続され、
前記基地局の動作時、前記ユーザ機器は、請求項１０乃至１３のいずれか一項に記載のグループ通信方法を実行する、
基地局。
【請求項３０】
グループ通信システムであって、
請求項１４乃至１６のいずれか一項に記載のグループ通信サーバと、請求項１７乃至２２のいずれか一項に記載のユーザ機器と、請求項２３乃至２６のいずれか一項に記載の基地局と、を備え、又は、
請求項２７に記載のグループ通信サーバと、請求項２８に記載のユーザ機器と、請求項２９に記載の基地局と、を備える、
グループ通信システム。
【発明の詳細な説明】
【技術分野】
【０００１】
本発明は、通信分野に関し、特に、グループ通信方法、装置及びシステムに関する。
【背景技術】
【０００２】
新しいタイプの車両通信ネットワークとして、車両のインターネット（Ｉｎｔｅｒｎｅｔ  ｏｆ  Ｖｅｈｉｃｌｅｓ）は、車両間の無線通信と、車両と路側インフラとの間の無線通信を実現することができる。車両のインターネットでは、車両ＡがＬＴＥ（Ｌｏｎｇ  Ｔｅｒｍ  Ｅｖｏｌｕｔｉｏｎ，ロング・ターム・エボリューション）ネットワークを用いて車両Ａのデータをネットワーク側装置にユニキャストで送信し、ネットワーク側装置が車両Ａの周囲の車両にブロードキャスト又はマルチキャストで、車両Ａのデータを送信する。また、車両Ａが留まっているセルのエッジに車両Ａが位置している場合、車両Ａは、車両Ａが留まっているセル内の車両に比較的近接するだけでなく、隣接するセル内の車両にも非常に近接する。この場合、車両Ａのデータは、車両Ａが留まっているセル内でブロードキャストされる必要があるだけでなく、車両Ａに比較的近接しているセルでブロードキャストされる必要もある。
【０００３】
現在、この技術分野のデータ伝送に最も近い技術は、ＬＴＥシステムのＧＣＳＥ（Ｇｒｏｕｐ  Ｃｏｍｍｕｎｉｃａｔｉｏｎ  Ｓｙｓｔｅｍ  Ｅｎａｂｌｅｒｓ，グループ通信システムイネーブラ）技術である。しかしながら、既存のＧＣＳＥ技術では、各モバイルグループに含まれるユーザ機器は不変である。車両のインターネットでは、車両Ａは、車両Ａの周囲の車両にのみデータを送信することを期待しており、車両Ａが参加するモバイルグループは常に変化している。つまり、車両のインターネットの各モバイルグループに含まれるユーザ機器は、不変ではない。
【０００４】
道路上の各車両が車両周囲の車両のメッセージを受信し、車両周囲の車両のデータのみを受信できるようにするために、従来技術では、隣接セル統合の規則に基づいて、道路周辺の基地局をいくつかのモバイルグループにグループ化することができる。車両Ａは、運転中にモバイルグループに入ると、自動的に１つのモバイルグループに加わり、車両Ａが車両Ａのデータを送信した後、ＧＣＳ  ＡＳは、モバイルグループの全てのセルに車両Ａのデータをブロードキャストする。このように、車両Ａから所定の距離にある全ての車両は車両Ａのデータを受信することができ、更に、車両Ａのデータは比較的遠いセルには拡散されない。しかしながら、この解決策では、モバイルグループ間に重複するカバレッジエリアが必要である。そうでなければ、車両Ａは、車両Ａが留まっている現在のセルのモバイルグループのみに参加することができるが、車両Ａの位置するセルの隣接セルの車両のデータを受信することができない。車両Ａが複数のモバイルグループの重複するカバレッジエリアに位置しているとき、現在のプロトコルの制限により、車両Ａは、車両Ａが送信待ちのデータをアップリンクで送信する必要のあるモバイルグループを把握することができない。したがって、車両Ａは、車両Ａの属する各モバイルグループのグループ識別子を個別に送信待ちデータに追加して、アップリンク伝送をおこなうことしかできず、アップリンク伝送リソースの浪費を招くことになる。更に、車両Ａの送信待ちデータは、車両Ａの属する各モバイルグループの全セルにおいて、ダウンリンクでブロードキャストされる。これにより、不要なダウンリンクリソースの浪費が生じてしまう。
【発明の概要】
【０００５】
本発明の実施形態は、アップリンクリソース及びダウンリンクリソースの浪費を低減するために、グループ通信方法、装置及びシステムを提供する。
【０００６】
上述の目的を達成するために、本発明の実施形態では以下の技術的解決策が用いられる。
【０００７】
第１の態様によれば、本発明の実施形態は、グループ通信サーバに適用されるグループ通信方法を提供する。本方法は、
グループ通信サーバが、第１のユーザ機器による送信待ちのグループ通信データと、第１のセルのセル識別子とを取得するステップであって、第１のセルは第１のユーザ機器にサービスを提供する、ステップと、
グループ通信サーバが、第１のセルのセル識別子に従って、第１の事前設定された対応関係から、第１のセルのセル識別子に対応する第１のモバイルグループのグループ識別子を取得するステップであって、第１の事前設定された対応関係は、第１のセルのセル識別子と、第１のモバイルグループのグループ識別子とを記憶している、ステップと、
グループ通信サーバが、第１のモバイルグループのグループ識別子に従って、第１のモバイルグループの第１のユーザ機器以外のユーザ機器にグループ通信データを送信するステップと、
を含む。
【０００８】
本発明の本実施形態で提供されるグループ通信方法では、グループ通信サーバ自体が、少なくとも１つのセルのセル識別子と、少なくとも１つのセルの各セルが属する１次モバイルグループのグループ識別子との間の第１の事前設定された対応関係を維持する。第１のセルのセル識別子は、少なくとも１つのセルのセル識別子の１つであり、１次モバイルグループは、グループ通信サーバがセル内のユーザ機器と通信するモバイルグループである。
【０００９】
本発明の本実施形態では、第１のユーザ機器は、第１のユーザ機器の属するモバイルグループから任意にモバイルグループを選択して、グループ通信データをアップリンクで送信する。よって、グループ通信サーバがグループ通信データを取得することで、アップリンクリソースの浪費が低減される。第１のユーザ機器による送信待ちのグループ通信データと第１のセルのセル識別子とを取得した後、グループ通信サーバは、第１の事前設定された対応関係と第１のセルのセル識別子とに従って、グループ通信サーバがグループ通信サーバによって取得されたグループ通信データをダウンリンクで送信する一連のセルを取得する。つまり、第１のモバイルグループのグループ識別子を取得する。このように、グループ通信サーバは、第１のモバイルグループの第１のユーザ機器以外のユーザ機器に、グループ通信サーバによって取得されたグループ通信データを送信する。これにより、グループ通信サーバがグループ通信データをダウンリンクで送信する際に用いられるリソースの浪費が低減される。
【００１０】
第１の態様の第１の可能な実施では、グループ通信サーバが、第１のユーザ機器による送信待ちのグループ通信データと、第１のユーザ機器が属する第１のセルのセル識別子とを取得するステップは、
グループ通信サーバが、第１のユーザ機器又は基地局によって送信された第１のグループ通信情報を受信及び解析するステップであって、第１のグループ通信情報は、グループ通信データと第１のセルのセル識別子とを含み、基地局は、第１のユーザ機器にサービスを提供する、ステップ、
を含む。
【００１１】
第１の態様の第２の可能な実施では、第１のモバイルグループのグループ識別子は、第１のモバイルグループの通信レイヤグループ識別子、第１のモバイルグループのアプリケーションレイヤグループ識別子、又は第１のモバイルグループのエリア識別子である。
【００１２】
第２の態様によれば、本発明の実施形態は、ユーザ機器に適用されるグループ通信方法を提供する。ユーザ機器は、第１の態様の第１のユーザ機器である。本方法は、
第１のユーザ機器が、第１の識別子を取得するステップであって、第１の識別子は、第１のセルのセル識別子又は第１のモバイルグループのグループ識別子であり、第１のセルは第１のユーザ機器にサービス提供し、グループ通信サーバは、第１のモバイルグループにおいてのみ、第１のユーザ機器とグループ通信データを伝送する、ステップと、
第１のユーザ機器が、第１の識別子及び送信待ちのグループ通信データをグループ通信サーバに送信するステップと、
を含む。
【００１３】
また、第１のユーザ機器は、送信待ちのグループ通信データをグループ通信サーバに送信するとき、第１のセルのセル識別子、又は第１のモバイルグループのグループ識別子を追加する。第１のセルは、第１のユーザ機器にサービスを提供するセルであり、グループ通信サーバは、第１のモバイルグループのみにおいて、第１のユーザ機器とグループ通信データを伝送する。したがって、第１のユーザ機器は、第１の識別子のみを追加して送信待ちのグループ通信データを送信し、別のモバイルグループのグループ識別子を追加することなく、送信待ちのグループ通信データを送信する。これにより、アップリンクリソースの浪費が低減される。また、第１のユーザ機器によって送信されたグループ通信データ及び第１の識別子を受信した後、グループ通信サーバは、第１の識別子に従って、グループ通信データがダウンリンクで送信されるユーザ機器を決定することができる。これにより、ダウンリンクリソースの浪費が低減される。
【００１４】
第２の態様の第１の可能な実施では、第１のユーザ機器が第１のモバイルグループのグループ識別子を取得するステップは、
第１のユーザ機器が、第１のユーザ機器の位置する第１のセルのセル識別子を取得するステップと、
第１のユーザ機器が、第１のセルのセル識別子に従って、第２の事前設定された対応関係から、第１のセルのセル識別子に対応する第１のモバイルグループのグループ識別子を取得するステップであって、第２の事前設定された対応関係は、第１のセルのセル識別子と、第１のモバイルグループのグループ識別子とを記憶している、ステップと、
を含む。
【００１５】
第２の態様又は第２の態様の第１の可能な実施に関して、第２の態様の第２の可能な実施では、第１のモバイルグループのグループ識別子は、第１のモバイルグループの通信レイヤグループ識別子、第１のモバイルグループのアプリケーションレイヤグループ識別子、又は第１のモバイルグループのエリア識別子である。
【００１６】
第２の態様の第２の可能な実施に関して、第２の態様の第３の可能な実施では、第１のモバイルグループのグループ識別子は、第１のモバイルグループのアプリケーションレイヤグループ識別子であり、
第１のユーザ機器が、第１のモバイルグループのアプリケーションレイヤグループ識別子を取得するステップは、
第１のユーザ機器が、第１のモバイルグループの通信レイヤグループ識別子を取得するステップと、
第１のユーザ機器が、第１のモバイルグループの通信レイヤグループ識別子に従って、第３の事前設定された対応関係から、第１のモバイルグループの通信レイヤグループ識別子に対応する第１のモバイルグループのアプリケーションレイヤグループ識別子を取得するステップであって、第３の事前設定された対応関係は、第１のモバイルグループの通信レイヤグループ識別子と、第１のモバイルグループのアプリケーションレイヤグループ識別子とを記憶している、ステップと、
を含む。
【００１７】
第１のユーザ機器によって取得された、第１のモバイルグループのグループ識別子は、第１のモバイルグループのアプリケーションレイヤグループ識別子、又は第１のモバイルグループの通信レイヤグループ識別子であってよい。第１のユーザ機器によって取得された第１のモバイルグループのグループ識別子が第１のモバイルグループの通信レイヤグループ識別子であるとき、第１のモバイルグループのアプリケーションレイヤグループ識別子は、少なくとも１つのモバイルグループの通信レイヤグループ識別子と、少なくとも１つのモバイルグループの各モバイルグループのアプリケーションレイヤグループ識別子とを記憶している、第１のユーザ機器の第３の事前設定された対応関係を用いて取得されてよい。第３の事前設定された対応関係はネットワーク上で構成され、第１のユーザ機器とグループ通信サーバの両方が、第３の事前設定された対応関係を取得することができる。
【００１８】
第２の態様又は第２の態様の第３の可能な実施に関して、第２の態様の第４の可能な実施では、第１のユーザ機器が、第１のモバイルグループの通信レイヤグループ識別子を取得するステップは、
第１のユーザ機器が、基地局によってブロードキャストされた第１のメッセージを受信するステップであって、第１のメッセージは、少なくとも２つのモバイルグループの通信レイヤグループ識別子を含み、第１のモバイルグループは、少なくとも２つのモバイルグループのうち１つであり、第１のモバイルグループの通信レイヤグループ識別子は、第１のメッセージの事前設定された位置に配置され、基地局は、第１のユーザ機器にサービスを提供する、ステップと、
第１のユーザ機器が、第１のメッセージの事前設定された位置から、第１のモバイルグループの通信レイヤグループ識別子を抽出するステップと、
を含む。
【００１９】
第２の態様又は第２の態様の第３の可能な実施に関して、第２の態様の第５の可能な実施では、第１のユーザ機器が、第１のモバイルグループの通信レイヤグループ識別子を取得するステップは、
第１のユーザ機器が、基地局に性能メッセージを送信するステップであって、性能メッセージは少なくとも属性情報を含み、属性情報は、第１のユーザ機器がグループ通信ネットワーク上のユーザ機器であることを示すのに用いられ、基地局は、第１のユーザ機器にサービスを提供する、ステップと、
第１のユーザ機器が、基地局によって送信された第２のメッセージを受信するステップであって、第２のメッセージは、少なくとも第１のモバイルグループの通信レイヤグループ識別子を含む、ステップと、
第１のユーザ機器が、第２のメッセージから、第１のモバイルグループの通信レイヤグループ識別子を抽出するステップと、
を含む。
【００２０】
第１のユーザ機器により第１のモバイルグループのグループ識別子を取得する方法は複数ある。詳細については、第２の態様の第１の可能な実施、又は第２の態様の第３の可能な実施〜第２の態様の第５の可能な実施を参照されたい。どの可能な実施かに関わらず、第１のモバイルグループのグループ識別子を取得した後、第１のユーザ機器は常に、第１のモバイルグループのグループ識別子を追加してグループ通信データを送信する。グループ通信データをアップリンクで送信するために別のモバイルグループのグループ識別子を追加することがなくなり、よって、グループ通信データをアップリンクで送信するためのリソースの浪費が低減される。
【００２１】
第３の態様によれば、本発明の実施形態は基地局を提供する。本基地局は、上述の第１のユーザ機器にサービスを提供する。本基地局は、
基地局が、第１のモバイルグループの通信レイヤグループ識別子を第１のユーザ機器に送信するステップであって、グループ通信サーバは、第１のモバイルグループにおいてのみ、第１のユーザ機器とグループ通信データを伝送し、基地局は、第１のユーザ機器にサービスを提供する、ステップ、
を含む。
【００２２】
第３の態様の第１の可能な実施では、基地局が、第１のモバイルグループの通信レイヤグループ識別子を第１のユーザ機器に送信するステップは、
基地局が、第１のメッセージをブロードキャストするステップであって、第１のメッセージは、少なくとも２つのモバイルグループの通信レイヤグループ識別子を含み、第１のモバイルグループは、少なくとも２つのモバイルグループのうち１つであり、第１のモバイルグループの通信レイヤグループ識別子は、第１のメッセージの事前設定された位置に配置される、ステップ、
を含む。
【００２３】
第３の態様の第２の可能な実施では、基地局が、第１のモバイルグループの通信レイヤグループ識別子を第１のユーザ機器に送信するステップは、
基地局が、第１のユーザ機器によって送信された性能メッセージを受信するステップであって、性能メッセージは少なくとも属性情報を含み、属性情報は、第１のユーザ機器がグループ通信ネットワーク上のユーザ機器であることを示すのに用いられる、ステップと、
基地局が、属性情報に従って、第１のモバイルグループの通信レイヤグループ識別子を決定するステップと、
基地局が、第１のユーザ機器に第２のメッセージを送信するステップであって、第２のメッセージは、少なくとも第１のモバイルグループの通信レイヤグループ識別子を含む、ステップと、
を含む。
【００２４】
第３の様態は、第２の態様の第１の可能な実施〜第２の態様の第４の可能な実施に対応する実施である。第３の態様の有益な効果については、第２の態様の第１の可能な実施、又は第２の態様の第３の可能な実施〜第２の態様の第５の可能な実施で説明された有益な効果を参照されたい。ここでは詳細の説明を省略する。
【００２５】
第４の態様によれば、本発明の実施形態は基地局を提供する。基地局は、上述の第１のユーザ機器にサービスを提供する。本基地局は、
基地局が、第１のユーザ機器によって送信された第２のグループ通信情報を解析することであって、第２のグループ通信情報は、グループ通信サービス識別子と、第１のユーザ機器による送信待ちのグループ通信データとを含み、グループ通信サービス識別子は、第１のユーザ機器の位置するネットワークがグループ通信ネットワークであることを表すのに用いられ、基地局は、第１のユーザ機器にサービスを提供することと、
基地局、グループ通信サービス識別子に従って、第１のユーザ機器の属する第１のセルの識別ＩＤと、第２のグループ通信情報と、グループ通信サーバに送信することと、を含む。
【００２６】
基地局は、グループ通信サーバに、第１のユーザ機器の属する第１のセルのセル識別子と、第１のユーザ機器によって送信された第２のグループ通信情報とを送信する。よって、第１のユーザ機器がグループ通信サーバにグループ通信データを送信するときに第１のセルのセル識別子を追加するときの処理オーバヘッドが低減される。
【００２７】
第５の態様によれば、本発明の実施形態はグループ通信サーバを提供する。本グループ通信サーバは、
第１のユーザ機器による送信待ちのグループ通信データと、第１のセルのセル識別子とを取得するように構成され、第１のセルのセル識別子に従って、第１の事前設定された対応関係から、第１のセルのセル識別子に対応する第１のモバイルグループのグループ識別子を取得するように構成される取得ユニットであって、第１のセルは第１のユーザ機器にサービスを提供し、第１の事前設定された対応関係は、第１のセルのセル識別子と、第１のモバイルグループのグループ識別子とを記憶している、取得ユニットと、
取得ユニットによって取得された第１のモバイルグループのグループ識別子に従って、第１のモバイルグループの第１のユーザ機器以外のユーザ機器に、グループ通信データを送信するように構成される送信ユニットと、
を備える。
【００２８】
本発明の本実施形態で提供されるグループ通信サーバの技術的効果については、上述の第１の態様のグループ通信サーバによって実行されるグループ通信方法で説明されたグループ通信サーバの技術的効果を参照されたい。ここでは詳細の説明を省略する。
【００２９】
第５の態様の第１の可能な実施では、取得ユニットは、具体的には、第１のユーザ機器又は基地局によって送信された第１のグループ通信情報を受信及び解析するように構成される。第１のグループ通信情報は、グループ通信データと第１のセルのセル識別子とを含み、基地局は、第１のユーザ機器にサービスを提供する。
【００３０】
ここでの技術的効果については、上述の第１の態様の第１の可能な実施においてグループ通信サーバによって実行されるグループ通信方法で説明されたグループ通信サーバの技術的効果を参照されたい。ここでは詳細の説明を省略する。
【００３１】
第６の態様によれば、本発明の実施形態はユーザ機器を提供する。本ユーザ機器は、第５の態様において関与する第１のユーザ機器である。本ユーザ機器は、
第１の識別子を取得するように構成される取得ユニットであって、第１の識別子は、第１のセルのセル識別子又は第１のモバイルグループのグループ識別子であり、第１のセルはユーザ機器にサービス提供し、グループ通信サーバは、第１のモバイルグループにおいてのみ、ユーザ機器とグループ通信データを伝送する、取得ユニットと、
取得ユニットによって取得された第１の識別子と、送信待ちのグループ通信データとを、グループ通信サーバに送信するように構成される送信ユニットと、
を備える。
【００３２】
本発明の本実施形態で提供されるユーザ機器の技術的効果については、上述の第２の態様のユーザ機器によって実行されるグループ通信方法で説明されたユーザ機器の技術的効果を参照されたい。ここでは詳細の説明を省略する。
【００３３】
第６の態様の第１の可能な実施では、取得ユニットは、具体的には、
ユーザ機器の位置する第１のセルのセル識別子を取得するように構成され、
第１のセルのセル識別子に従って、第２の事前設定された対応関係から、第１のセルのセル識別子に対応する第１のモバイルグループのグループ識別子を取得するように構成され、第２の事前設定された対応関係は、第１のセルのセル識別子と、第１のモバイルグループのグループ識別子とを記憶している。
【００３４】
ここでの技術的効果については、上述の第２の態様の第１の可能な実施においてユーザ機器によって実行されるグループ通信方法で説明されたユーザ機器の技術的効果を参照されたい。ここでは詳細の説明を省略する。
【００３５】
第６の態様又は第６の態様の第１の可能な実施に関して、第６の態様の第２の可能な実施では、第１のモバイルグループのグループ識別子は、第１のモバイルグループの通信レイヤグループ識別子、第１のモバイルグループのアプリケーションレイヤグループ識別子、又は第１のモバイルグループのエリア識別子である。
【００３６】
第６の態様の第２の可能な実施に関して、第６の態様の第３の可能な実施では、第１のモバイルグループのグループ識別子は、第１のモバイルグループのアプリケーションレイヤグループ識別子である。取得ユニットは、具体的には、
第１のモバイルグループの通信レイヤグループ識別子を取得するように構成され、
第１のモバイルグループの通信レイヤグループ識別子に従って、第３の事前設定された対応関係から、第１のモバイルグループの通信レイヤグループ識別子に対応する第１のモバイルグループのアプリケーションレイヤグループ識別子を取得するように構成され、第３の事前設定された対応関係は、第１のモバイルグループの通信レイヤグループ識別子と、第１のモバイルグループのアプリケーションレイヤグループ識別子とを記憶している。
【００３７】
ここでの技術的効果については、上述の第２の態様の第３の可能な実施においてユーザ機器によって実行されるグループ通信方法で説明されたユーザ機器の技術的効果を参照されたい。ここでは詳細の説明を省略する。
【００３８】
第６の態様又は第６の態様の第３の可能な実施に関して、第６の態様の第４の可能な実施では、第１のモバイルグループのグループ識別子は、第１のモバイルグループのアプリケーションレイヤグループ識別子である。ユーザ機器は更に受信ユニットを備え、
受信ユニットは、基地局によってブロードキャストされた第１のメッセージを受信するように構成され、第１のメッセージは、少なくとも２つのモバイルグループの通信レイヤグループ識別子を含み、第１のモバイルグループは、少なくとも２つのモバイルグループのうち１つであり、第１のモバイルグループの通信レイヤグループ識別子は、第１のメッセージの事前設定された位置に配置され、基地局は、ユーザ機器にサービスを提供し、
取得ユニットは抽出サブユニットを含み、
抽出サブユニットは、受信ユニットによって受信された第１のメッセージの事前設定された位置から、第１のモバイルグループの通信レイヤグループ識別子を抽出するように構成される。
【００３９】
ここでの技術的効果については、上述の第２の態様の第４の可能な実施においてユーザ機器によって実行されるグループ通信方法で説明されたユーザ機器の技術的効果を参照されたい。ここでは詳細の説明を省略する。
【００４０】
第６の態様又は第６の態様の第３の可能な実施に関して、第６の態様の第５の可能な実施では、第１のモバイルグループのグループ識別子は、第１のモバイルグループのアプリケーションレイヤグループ識別子であり、
送信ユニットは、基地局に性能メッセージを送信するように構成され、性能メッセージは少なくとも属性情報を含み、属性情報は、ユーザ機器がグループ通信ネットワーク上のユーザ機器であることを示すのに用いられ、基地局は、ユーザ機器にサービスを提供し、
ユーザ機器は更に受信ユニットを備え、
受信ユニットは、基地局によって送信された第２のメッセージを受信するように構成され、第２のメッセージは、少なくとも第１のモバイルグループの通信レイヤグループ識別子を含み、
取得ユニットは抽出サブユニットを有し、
抽出サブユニットは、受信ユニットによって受信された第２のメッセージから、第１のモバイルグループの通信レイヤグループ識別子を抽出するように構成される。
【００４１】
ここでの技術的効果については、上述の第２の態様の第５の可能な実施においてユーザ機器によって実行されるグループ通信方法で説明されたユーザ機器の技術的効果を参照されたい。ここでは詳細の説明を省略する。
【００４２】
第７の態様によれば、本発明の実施形態は基地局を提供する。本基地局は、
第１のモバイルグループの通信レイヤグループ識別子を第１のユーザ機器に送信するように構成される送信ユニット、
を備え、グループ通信サーバは、第１のモバイルグループにおいてのみ、第１のユーザ機器とグループ通信データを伝送し、基地局は、第１のユーザ機器にサービスを提供する。
【００４３】
本発明の本実施形態で提供される基地局の技術的効果については、上述の第３の態様の基地局によって実行されるグループ通信方法で説明された基地局の技術的効果を参照されたい。ここでは詳細の説明を省略する。
【００４４】
第７の態様の第１の可能な実施では、送信ユニットは、具体的には、第１のメッセージをブロードキャストするように構成される。第１のメッセージは、少なくとも２つのモバイルグループの通信レイヤグループ識別子を含み、第１のモバイルグループは、少なくとも２つのモバイルグループのうち１つであり、第１のモバイルグループの通信レイヤグループ識別子は、第１のメッセージの事前設定された位置に配置される。
【００４５】
第７の態様の第２の可能な実施では、基地局は更に受信ユニットを備え、
受信ユニットは、第１のユーザ機器によって送信された性能メッセージを受信するように構成され、性能メッセージは少なくとも属性情報を含み、属性情報は、第１のユーザ機器がグループ通信ネットワーク上のユーザ機器であることを示すのに用いられ、
基地局は更に決定ユニットを備え、
決定ユニットは、受信ユニットによって受信された属性情報に従って、第１のモバイルグループの通信レイヤグループ識別子を決定するように構成され、
送信ユニットは、具体的には、第１のユーザ機器に第２のメッセージを送信するように構成され、第２のメッセージは、少なくとも、決定ユニットによって決定された第１のモバイルグループの通信レイヤグループ識別子を含む。
【００４６】
ここでの技術的効果については、上述の第３の態様の第１の可能な実施〜第３の態様の第２の可能な実施において基地局によって実行されるグループ通信方法で説明された基地局の技術的効果を参照されたい。ここでは詳細の説明を省略する。
【００４７】
第８の態様によれば、本発明の実施形態は基地局を提供する。本基地局は、
第１のユーザ機器によって送信された第２のグループ通信情報を解析するように構成される解析ユニットであって、第２のグループ通信情報は、グループ通信サービス識別子と、第１のユーザ機器による送信待ちのグループ通信データとを含み、グループ通信サービス識別子は、第１のユーザ機器の位置するネットワークがグループ通信ネットワークであることを表すのに用いられ、基地局は、第１のユーザ機器にサービスを提供する、解析ユニットと、
解析ユニットによって取得されたグループ通信サービス識別子に従って、第１のユーザ機器の属する第１のセルのセル識別子と、第２のグループ通信情報とを、グループ通信サーバに送信するように構成される送信ユニットと、
を備える。
【００４８】
本発明の本実施形態で提供される基地局の技術的効果については、上述の第４の態様の基地局によって実行されるグループ通信方法で説明された基地局の技術的効果を参照されたい。ここでは詳細の説明を省略する。
【００４９】
第９の態様によれば、本発明の実施形態はグループ通信サーバを提供する。グループ通信サーバは、インタフェース回路、プロセッサ、メモリ及びシステムバスを備え、
メモリは、第１の事前設定された対応関係及び第３の事前設定された対応関係を記憶するように構成され、インタフェース回路、プロセッサ及びメモリはシステムバスに接続され、グループ通信サーバが稼動しているとき、グループ通信サーバは、上述の第１の態様又は第１の態様の任意の実施におけるグループ通信方法を実行する。
【００５０】
第１０の態様によれば、本発明の実施形態はユーザ機器を提供する。ユーザ機器は、インタフェース回路、プロセッサ、メモリ及びシステムバスを備え、
メモリは、コンピュータ実行可能命令及び第２の事前設定された対応関係を記憶するように構成され、インタフェース回路、プロセッサ及びメモリはシステムバスに接続され、ユーザ機器が稼動しているとき、ユーザ機器は、上述の第２の態様又は第２の態様の任意の実施におけるグループ通信方法を実行する。
【００５１】
第１１の態様によれば、本発明の実施形態は基地局を提供する。基地局は、インタフェース回路、プロセッサ、メモリ及びシステムバスを備え、
メモリは、コンピュータ実行可能命令を記憶するように構成され、インタフェース回路、プロセッサ及びメモリはシステムバスに接続され、基地局が稼動しているとき、ユーザ機器は、上述の第３の態様又は第４の態様におけるグループ通信方法を実行する。
【００５２】
第１２の態様によれば、本発明の実施形態はグループ通信システムを提供する。グループ通信システムは、上述の第５の態様又は第５の態様の任意の実施のグループ通信サーバと、上述の第６の態様又は第６の態様の任意の実施ユーザ機器と、上述の第７の態様又は第７の態様の任意の実施又は上述の第８の態様の基地局とを備え、又は、
上述の第９の態様のグループ通信サーバと、上述の第１０の態様のユーザ機器と、上述の第１１の態様の基地局と、を備える。
【図面の簡単な説明】
【００５３】
本発明の実施形態における技術的解決策をより明確に説明するために、実施形態を説明するために必要な添付図面を簡単に説明する。当然ながら、以下の説明における添付図面は、本発明の一部の実施形態を示すに過ぎない。
【００５４】
【図１】ＬＴＥシステムアーキテクチャにおけるグループ通信システムのネットワーク構造の図である。
【図２】ＬＴＥシステムアーキテクチャにおけるグループ通信システムの構造組成の概略図である。
【図３】先行技術における、地理的位置に基づいてグループ化をおこなうことによりモバイルグループを取得する概略図である。
【図４】本発明の実施形態に係るグループ通信方法の第１の概略フローチャートである。
【図５】本発明の実施形態に係るグループ通信方法の第２の概略フローチャートである。
【図６】本発明の実施形態に係るグループ通信方法の第３の概略フローチャートである。
【図７】本発明の実施形態に係るグループ通信方法の第４の概略フローチャートである。
【図８】本発明の実施形態に係るグループ通信方法の第５の概略フローチャートである。
【図９】本発明の実施形態に係るグループ通信方法の第６の概略フローチャートである。
【図１０】本発明の実施形態に係るグループ通信サーバの第１の概略構造図である。
【図１１】本発明の実施形態に係るユーザ機器の第１の概略構造図である。
【図１２】本発明の実施形態に係るユーザ機器の第２の概略構造図である。
【図１３】本発明の実施形態に係る基地局の第１の概略構造図である。
【図１４】本発明の実施形態に係る基地局の第２の概略構造図である。
【図１５】本発明の実施形態に係るグループ通信サーバの第２の概略構造図である。
【図１６】本発明の実施形態に係るユーザ機器の第３の概略構造図である。
【図１７】本発明の実施形態に係る基地局の第３の概略構造図である。
【図１８】本発明の実施形態に係るグループ通信システムの概略構造図である。
【発明を実施するための形態】
【００５５】
以下、本発明の実施形態において添付図面を参照して、本発明の実施形態における技術的解決策を明確且つ完全に記載する。当然ながら、記載される実施形態は、本発明の実施形態の一部に過ぎず、全部ではない。
【００５６】
以下の説明において、特定のシステム構造、インタフェース、技術などの具体的な詳細は、本発明の完全な理解を図るために、例示的な意味で記載されるが、限定的な意味では記載されない。しかしながら、当業者であれば、本発明がこれらの具体的な詳細なしに他の実施形態において実施され得ることを知っているべきである。他の場合は、周知のモバイルデバイス、回路及び方法の詳細な説明は省略されているので、本発明は不必要な詳細によって曖昧にならないように説明される。
【００５７】
加えて、本明細書における「及び／又は」という語句は、関連するものを記述するための関連関係のみを記述し、３つの関係が存在し得ることを表す。例えば、Ａ及び／又はＢは、以下の３つの場合、すなわちＡのみが存在する場合と、ＡとＢの両方が存在する場合と、Ｂのみが存在する場合とを表し得る。加えて、本明細書における記号「／」は、一般に、関連するものの間の「又は」の関係を示す。
【００５８】
本発明の実施形態において言及される「第１」、「第２」などの序数は、数字が文脈に沿って順序を明確に示さない限り、差別化の目的にのみ役立つものとする。
【００５９】
本明細書に記載の技術は、グループ通信サーバを備える様々な無線ネットワークシステム、例えば、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＣＤＭＡ（Ｃｏｄｅ  Ｄｉｖｉｓｉｏｎ  Ｍｕｌｔｉｐｌｅ  Ａｃｃｅｓｓ，符号分割多元接続）２０００システム、広帯域符号分割多元接続（ＷＣＤＭＡ，Ｃｏｄｅ  Ｄｉｖｉｓｉｏｎ  Ｍｕｌｔｉｐｌｅ  Ａｃｃｅｓｓ  ｗｉｒｅｌｅｓｓ）、ロング・ターム・エボリューション（ＬＴＥ，Ｌｏｎｇ  Ｔｅｒｍ  Ｅｖｏｌｕｔｉｏｎ）システム、その他このタイプの通信システムに用いられてよい。
【００６０】
ユーザ機器は無線端末である。無線端末は、ユーザに音声及び／又はデータ接続性を提供するデバイス、無線接続機能を有するハンドヘルドデバイス、その他の無線モデムに接続された別の処理デバイスであってよい。無線端末は、無線アクセスネットワーク（例えばＲＡＮ，Ｒａｄｉｏ  Ａｃｃｅｓｓ  Ｎｅｔｗｏｒｋ）を介して１つ以上のコアネットワークと通信することができる。無線端末は、携帯電話（「セルラ（ｃｅｌｌｕｌａｒ）」電話とも呼ばれる）やモバイル端末を備えたコンピュータなどのモバイル端末であってよく、例えば、ポータブル、ポケットサイズ、ハンドヘルド、コンピュータ内蔵又は車載のモバイル装置であってよく、音声及び／又はデータを無線アクセスネットワークと交換する。また、無線端末は、システム、加入者ユニット（Ｓｕｂｓｃｒｉｂｅｒ  Ｕｎｉｔ）、加入者ステーション（Ｓｕｂｓｃｒｉｂｅｒ  ｓｔａｔｉｏｎ）、モバイルステーション（Ｍｏｂｉｌｅ  Ｓｔａｔｉｏｎ）、モバイル（Ｍｏｂｉｌｅ）、遠隔ステーション（Ｒｅｍｏｔｅ  ｓｔａｔｉｏｎ）、アクセスポイント（Ａｃｃｅｓｓ  ｐｏｉｎｔ）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）又はユーザ機器（Ｕｓｅｒ  Ｅｑｕｉｐｍｅｎｔ）と呼ばれてもよい。
【００６１】
ＬＴＥシステムのＧＣＳＥ技術は、グループ通信をサポートするために、３ＧＰＰ（３ｒｄ  Ｇｅｎｅｒａｔｉｏｎ  Ｐａｒｔｎｅｒｓｈｉｐ  Ｐｒｏｊｅｃｔ、第３世代パートナーシッププロジェクト）にアプリケーションレイヤの機能を導入する技術である。ＬＴＥシステムのユーザ機器は、異なるモバイルグループにグループ化され、１つのユーザ機器は、１つのモバイルグループ又は複数の異なるモバイルグループに属することができる。
【００６２】
図１は、ＬＴＥシステムアーキテクチャにおけるグループ通信システムのネットワーク構造の図である。図１を参照する。ネットワークシステムは、ＧＣＳ  ＡＳ（Ｇｒｏｕｐ  Ｃｏｍｍｕｎｉｃａｔｉｏｎ  Ｓｅｒｖｉｃｅ  Ａｐｐｌｉｃａｔｉｏｎ  Ｓｅｒｖｅｒ，グループ通信サービスアプリケーションサーバ）１００、ＰＤＮ  ＧＷ（Ｐａｃｋｅｔ  Ｄａｔａ  Ｎｅｔｗｏｒｋ，パケット・データ・ネットワーク・ゲートウェイ）１０１、ＭＢＭＳ−ＧＷ（Ｍｕｌｔｉｍｅｄｉａ  Ｂｒｏａｄｃａｓｔ  Ｍｕｌｔｉｃａｓｔ  Ｓｅｒｖｉｃｅ  Ｇａｔｅｗａｙ，マルチメディア・ブロードキャスト・マルチキャスト・サービス・ゲートウェイ）１０２、ｅＮＢ（ｅｖｏｌｖｅｄ  Ｎｏｄｅ  Ｂ，進化型ノード）１０３及びＵＥ（Ｕｓｅｒ  Ｅｑｕｉｐｍｅｎｔ，ユーザ機器）１０４を含む。ＧＣＳ  ＡＳ１００は、ネットワークを介してＰＤＮ  ＧＷ１０１に接続され、ＧＣＳ  ＡＳ１００は、ネットワークを介してＭＢＭＳ−ＧＷ１０２に接続される。ＧＣＳ  ＡＳ１００は、ＬＴＥユニキャスト進化型パケットシステムベアラを用いてサービス伝送を実行してよく、或いは、既存のＭＢＭＳネットワークを用いてグループ通信サービスをブロードキャストしてよい。図１において、実線は、ＧＣＳ  ＡＳ１００がＬＴＥユニキャスト進化型パケットシステムベアラを用いてサービス伝送を実行することを示し、点線は、既存のＭＢＭＳネットワークを用いて、ＧＣＳ  ＡＳ１００がグループ通信サービスをブロードキャストすることを示す。
【００６３】
図２は、ＬＴＥシステムアーキテクチャにおけるグループ通信システムの構造組成の概略図である。Ｅ−ＵＴＲＡＮ（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ，進化型ＵＭＴＳ地上無線アクセスネットワーク）は、無線アクセスネットワークであり、ＵＥ１０４にアクセス無線ネットワークインタフェースを提供するｅＮＢ１０３を含む。ＢＭ−ＳＣ（Ｂｒｏａｄｃａｓｔ−Ｍｕｌｔｉｃａｓｔ  Ｓｅｒｖｉｃｅ  Ｃｅｎｔｒｅ，ブロードキャスト‐マルチキャストサービスセンター）は、サービスレイヤのネットワーク要素であり、サービスのコンバージェンスと伝送、ユーザの認証、ＭＢＭＳサービスベアラの確立と開始、セッション制御の開始等を提供し、また、ＢＭ−ＳＣとｅＮＢ１０３との間の同期を実現することができる。ＭＢＭＳ−ＧＷ１０２は、ＢＭ−ＳＣとｅＮＢ１０３との間のノードとして、ネットワークのアクセスゲートウェイであり、ユーザデータに関連するパケットとセッション関連シグナリングの処理を担当する。Ｕｕ、Ｍ１、Ｍ３、ＳＧｉ、ＧＣ１、ＭＢ２はそれぞれインタフェースを示す。ＵＥ１０４は、アプリケーションレイヤのＧＣ１インタフェースを介して、ＧＣＳ  ＡＳ１００との接続を確立する。ＧＣ１インタフェースはアプリケーションレイヤインタフェースであるので、ＧＣ  ＡＳ１００は、受信されたグループ通信データがどのモバイルグループから来たのか知るだけでよい。したがって、ＧＣ１インタフェースが開発されているとき、パケットは、１つのモバイルグループのアプリケーションレイヤ識別子のみが含まれる。識別子は、グループ通信データがどのモバイルグループに属するのかを示すのに用いられ、そのパケットは他の識別子を搬送しない。
【００６４】
上述のグループ通信システムでは、ダウンリンクプロセスにおいて、ＧＣＳ  ＡＳ及びＢＭ−ＳＣは、多くのブロードキャストセッションを事前に確立する。各ブロードキャストセッションは、１つのモバイルグループのアプリケーションレイヤグループ識別子と、該モバイルグループの通信レイヤ識別子とに対応する。このように、ＧＣＳ  ＡＳは、ＧＣＳ  ＡＳによって受信されたグループ通信データからモバイルグループのアプリケーションレイヤグループ識別子を解析すると、ＧＣＳ  ＡＳは、対応するブロードキャストセッションに対応する複数のセルに、グループ通信データを自動的に送信する。
【００６５】
現在、ＧＣＳＥ技術は、ユーザに基づいてグループ化をおこなうことによってモバイルグループが得られるグループ通信サービスに主に適用される。位置に基づいてグループ化をおこなうことによってモバイルグループが得られるグループ通信サービスでは、モバイルグループ間に重複するカバレッジエリアが存在する。ユーザ機器がモバイルグループ間の重複するカバレッジエリアにあるとき、現在のプロトコルの制限により、ユーザ機器は、送信待ちのグループ通信データをアップリンクで送信する際に搬送される必要のあるモバイルグループのグループ識別子を知ることができない。つまり、ユーザ機器は、ユーザ機器が送信待ちのグループ通信データをアップリンクで送信するモバイルグループを知ることができない。したがって、ユーザ機器は、送信待ちのグループ通信データに異なるモバイルグループ識別子を追加し、送信待ちのグループ通信データを複数回送信することしかできず、アップリンク伝送リソースの浪費を招いてしまう。更に、ユーザ機器によってアップリンクで送信されるグループ通信データは、そのユーザ機器の属する各モバイルグループの全てのセルにおいてダウンリンクでブロードキャストされ、ダウンリンクリソースの浪費を招いてしまう。
【００６６】
図３に示されるように、道路沿いの５つの基地局について、ｅＮＢ１、ｅＮＢ２及びｅＮＢ３はモバイルグループ１にグループ化され、ｅＮＢ２、ｅＮＢ３及びｅＮＢ４はモバイルグループ２にグループ化され、以下同様である。車両Ａがモバイルグループ２に入り、アップリンクでセル２（ｅＮＢ２のカバレッジエリア）において車両Ａのデータを送信した後、ＧＣＳ  ＡＳは、セル２、セル３及びセル４において車両Ａのデータをブロードキャストする。車両ＡがｅＮＢ３のカバレッジエリア内にあるとき、車両Ａは、モバイルグループ１、モバイルグループ２及びモバイルグループ３のカバレッジエリアに同時に存在する。この場合、車両Ａは、モバイルグループ１、モバイルグループ２及びモバイルグループ３に同時に加わる。現在のプロトコルの制限により、車両Ａは、車両Ａが車両Ａの送信待ちデータをアップリンクで送信する必要のあるモバイルグループを知ることができない。したがって、車両Ａは、車両Ａのアップリンク伝送のための送信待ちデータに、モバイルグループ１のグループ識別子、モバイルグループ２のグループ識別子、又はモバイルグループ３のグループ識別子をそれぞれ追加することしかできず、アップリンク伝送リソース浪費を招いてしまう。更に、車両Ａの送信待ちデータは、各モバイルグループの全てのセルにおいてダウンリンクでブロードキャストされる。このように、一部のセル（セル１やセル５など）では、不要なダウンリンクリソースの浪費が生じてしまう。
【００６７】
本発明は、グループ通信方法、装置及びシステムを提供する。グループ通信サーバ自体が、少なくとも１つのセルのセル識別子と、少なくとも１つのセルの各セルが属する１次モバイルグループのグループ識別子との間の第１の事前設定された対応関係を維持する。又は、第１のユーザ機器自体が、少なくとも１つのセルのセル識別子と、少なくとも１つのセルの各セルが属する１次モバイルグループのグループ識別子とを記憶している、第３の事前設定された対応関係を維持する。又は、第１のユーザ機器が、第１のユーザ機器の属する基地局とシグナリングのやり取りをおこなう。よって、第１のユーザ機器は、１つのモバイルグループのみでアップリンクでグループ通信データを送信する。これにより、アップリンクリソースの浪費が低減される。加えて、グループ通信サーバによって取得された、第１のユーザ機器の１次モバイルグループの識別子は、第１のモバイルグループのグループ識別子であり、グループ通信サーバは、第１のモバイルグループのグループ識別子に従って、第１のモバイルグループにおいてグループ通信データをブロードキャストする。これにより、グループ通信サーバがグループ通信データをダウンリンクで送信する際に用いられるリソースの浪費が低減される。
【００６８】
なお、本発明の実施形態で提供されるグループ通信方法、装置及びシステムは、図２及び図３に示されるようなグループ通信システムに適用され、また、地理的位置に基づいてグループ化をおこなうことによってモバイルグループが得られるグループ通信サービスに適用可能である。
【００６９】
実施形態１
図４に示されるように、本発明の実施形態はグループ通信方法を提供する。本方法は、以下のステップを含む。
【００７０】
Ｓ１０１．第１のユーザ機器がグループ通信ネットワークにアクセスする。
【００７１】
第１のユーザ機器は、第１のユーザ機器の位置に従って、複数のモバイルグループに参加することができる。或いは、グループ通信ネットワーク全体で１つのモバイルグループしか構成することができず、第１のユーザ機器はそのモバイルグループに加わる。
【００７２】
具体的には、第１のユーザ機器と第１のユーザ機器にサービスを提供する基地局との間に、ネットワークベアラが確立される。
【００７３】
Ｓ１０２．第１のユーザ機器が、第１のユーザ機器の属する１つのモバイルグループのアプリケーションレイヤグループ識別子と、グループ通信データとを、グループ通信サーバに送信する。
【００７４】
具体的には、第１のユーザ機器は、第１のユーザ機器の属するモバイルグループから任意に１つのモバイルグループを選択し、該モバイルグループにおいてのみ、第１のユーザ機器による送信待ちのグループ通信データをアップリンクで送信する。つまり、第１のユーザ機器は、選択されたモバイルグループのアプリケーションレイヤグループ識別子及びグループ通信データを、グループ通信サーバに送信する。
【００７５】
任意に、本発明の本実施形態のグループ通信サーバは、ＬＴＥシステムにおけるＧＣＳ  ＡＳであってよく、或いは、Ｖ２Ｖ（Ｖｅｈｉｃｌｅ−ｔｏ−Ｖｅｈｉｃｌｅ，車両対車両）通信システムにおけるＶ２Ｖアプリケーションサーバであってよい。これは、本発明の本実施行形態において具体的に限定されない。
【００７６】
Ｖ２Ｖ通信技術は、Ｖ２Ｖ無線ネットワーク上の車両が車両の状態情報（速度、位置、走行方向、ブレーキなど）を互いに転送する技術である。
【００７７】
Ｓ１０３．グループ通信サーバが、第１のユーザ機器にサービスを提供する基地局とシグナリングのやり取りをおこなって、第１のセルのセル識別子を取得する。
【００７８】
第１のセルは第１のユーザ機器にサービスを提供する。
【００７９】
Ｓ１０４．グループ通信サーバが、第１のセルのセル識別子に従って、第１の事前設定された対応関係から、第１のセルのセル識別子に対応する第１のモバイルグループのグループ識別子を取得する。
【００８０】
第１の事前設定された対応関係は、少なくとも１つのセルのセル識別子と、少なくとも１つのセルの各セルが属する１次モバイルグループのグループ識別子とを記憶している。第１のセルのセル識別子は、少なくとも１つのセルのセル識別子の１つである。
【００８１】
本発明の本実施形態における１次モバイルグループは、グループ通信サーバがユーザ機器と通信するモバイルグループである。グループ通信サーバは、１次モバイルグループ内のユーザ機器にのみ、ダウンリンクでグループ通信データを送信することができる。
【００８２】
任意に、モバイルグループのグループ識別子は、モバイルグループのアプリケーションレイヤグループ識別子、モバイルグループの通信レイヤグループ識別子、又はモバイルグループのエリア識別子であってよい。
【００８３】
ユーザ機器が少なくとも２つのモバイルグループに加わるという適用シナリオでは、本発明の本実施形態におけるモバイルグループのグループ識別子は、モバイルグループのアプリケーションレイヤグループ識別子、又はモバイルグループの通信レイヤグループ識別子である。グループ通信ネットワーク全体にモバイルグループが１つしかなく、ユーザ機器がそのモバイルグループに加わるという適用シナリオでは、本発明の本実施形態におけるモバイルグループのグループ識別子は、モバイルグループのエリア識別子である。
【００８４】
したがって、本発明の本実施形態においてグループ通信サーバ自体によって維持される第１の事前設定された対応関係は、少なくとも１つのセルのセル識別子と、少なくとも１つのセルの各セルが属する１次モバイルグループの通信レイヤグループ識別子とを記憶することができ、又は、少なくとも１つのセルのセル識別子と、少なくとも１つのセルの各セルが属する１次モバイルグループのアプリケーションレイヤグループ識別子とを記憶することができ、又は、少なくとも１つのセルと、少なくとも１つのセルの各セルのエリア識別子とを記憶することができる。
【００８５】
本発明の本実施形態におけるエリア識別子は、セル集合を示すために用いられる。セル集合のうちの複数のセルは、複数のオペレータに属することがある。
【００８６】
具体的には、グループ通信サーバは、第１のセルのセル識別子に従って、第１の事前設定された対応関係から、第１のセルのセル識別子に対応する第１のモバイルグループのグループ識別子を取得することができる。これは、グループ通信サーバが、第１のモバイルグループの第１のユーザ機器以外のユーザ機器に対してのみ、第１のユーザ機器による送信待ちのグループ通信データを送信することができることを示す。
【００８７】
Ｓ１０５．グループ通信サーバが、第１のモバイルグループのグループ識別子に従って、第２のユーザ機器にグループ通信データを送信する。
【００８８】
本発明の本実施形態では、第２のユーザ機器は、第１のモバイルグループの第１のユーザ機器以外のユーザ機器を示すのに用いられる。グループ通信サーバ自体が、第１の事前設定された対応関係を維持する。したがって、第１のユーザ機器の属する第１のセルのセル識別子を取得した後、グループ通信サーバは、第１の事前設定された対応関係に従って、第１のセルのセル識別子に対応する第１のモバイルグループのグループ識別子を取得することができる。ここでの第１のモバイルグループは、第１のユーザ機器が実際にグループ通信データをダウンリンクで送信する必要のあるモバイルグループである。グループ通信サーバは、第１のモバイルグループのグループ識別子に従って、第１のモバイルグループの第１のユーザ機器以外のユーザ機器にグループ通信データをダウンリンクで送信する。
【００８９】
具体的には、グループ通信サーバは、第１のセルのセル識別子に従って、第１のモバイルグループのグループ識別子を取得し、第１のモバイルグループのグループ識別子に従って、第１のモバイルグループの第１のユーザ機器以外のユーザ機器にグループ通信データを送信する。
【００９０】
具体的には、本発明の本実施形態がＧＣＳＥ技術に適用される場合、ダウンリンクプロセスでは、ＧＣＳ  ＡＳとＢＭ−ＳＣが多数のブロードキャストセッションを予め確立し、各ブロードキャストセッションは、モバイルグループのアプリケーションレイヤグループ識別子と、モバイルグループの通信レイヤ識別子とに対応する。したがって、ＧＣＳ  ＡＳとユーザ機器の両方は第３の事前設定された対応関係、つまり、少なくとも１つのモバイルグループの通信レイヤグループ識別子と、少なくとも１つのモバイルグループの各モバイルグループのアプリケーションレイヤグループ識別子との間の対応関係を事前に知っている。
【００９１】
このように、モバイルグループのアプリケーションレイヤグループ識別子を取得するとき、ＧＣＳ  ＡＳは、第３の事前設定された対応関係に従って、モバイルグループの通信レイヤグループ識別子を知ることができる。同様に、モバイルグループの通信レイヤグループ識別子を取得するとき、ＧＣＳ  ＡＳは、第３の事前設定された対応関係に従って、モバイルグループのアプリケーションレイヤグループ識別子を知ることができる。
【００９２】
したがって、本発明の本実施形態では、グループ通信サーバ自体によって維持される第１の事前設定された対応関係が、少なくとも１つのセルのセル識別子と少なくとも１つのセルの各セルが属する１次モバイルグループのアプリケーションレイヤグループ識別子との間の対応関係である場合、第１のモバイルグループのアプリケーションレイヤグループ識別子を取得した後、グループ通信サーバは、第３の事前設定された対応関係に従って、第１のモバイルグループの通信レイヤグループ識別子を取得することもできる。
【００９３】
好ましくは、第１のユーザ機器がステップＳ１０１で複数のモバイルグループに加わる場合、本発明の実施形態におけるモバイルグループの通信レイヤグループ識別子は、既存のｅＭＢＭＳ（ｅｎｈａｎｃｅｄ  Ｍｕｌｔｉｍｅｄｉａ  Ｂｒｏａｄｃａｓｔ／Ｍｕｌｔｉｃａｓｔ  Ｓｅｒｖｉｃｅ、進化型マルチメディア・ブロードキャスト／マルチキャスト・サービス）システムにおけるＴＭＧＩ（Ｔｅｍｐｏｒａｒｙ  Ｍｏｂｉｌｅ  Ｇｒｏｕｐ  Ｉｄｅｎｔｉｔｙ、一時的モバイルグループ識別情報）である。
【００９４】
ステップＳ１０１でネットワーク全体に１つのモバイルグループのみが構成され、第１のユーザ機器がモバイルグループに加わる場合、本発明の本実施形態におけるモバイルグループの通信レイヤグループ識別子はエリア識別子である。エリア識別子は、グループ通信サーバがダウンリンクでデータを送信する一連のセルを表すために用いられる。理解できるように、このシナリオでは、本発明の本実施形態における第１のモバイルグループは、ネットワーク全体における固有のモバイルグループとみなすことができる。したがって、グループ通信サーバは、第１のモバイルグループのエリア識別子と第１のユーザ機器による送信待ちのグループ通信データとを取得し、第１のモバイルグループのエリア識別子によって表されるエリア集合に含まれる全てのセルに、ダウンリンクでグループ通信データを送信する。
【００９５】
なお、上述のエリア識別子は、現在のＧＣＳＥ技術におけるフローＩＤとは異なる。
【００９６】
フローＩＤは、同じモバイルグループ内の異なるブロードキャストサーバ制御エリアを区別するために用いられる。同じモバイルグループに対応する異なるフローＩＤに対応するブロードキャストセッションエリアは、明らかに重複しておらず、明らかに、異なるＢＭ−ＳＣの支配エリアに位置する。
【００９７】
本発明の本実施形態における適用シナリオでは、同じエリア識別子は、グループ通信サービスをブロードキャストするために異なるＢＭ−ＳＣの支配エリアで用いられてよい。エリア識別子は、同じモバイルグループに対応するエリアから特定のセル集合に対応するエリアを区別するためのものである。ＧＣＳ  ＡＳとＢＭ−ＳＣがブロードキャストセッション接続を確立しているとき、ブロードキャストセッションは、エリア識別子を用いて確立される。セッションは決定されたダウンリンクブロードキャスト／マルチキャストセルリストに対応し、これらのセルは異なるＢＭ−ＳＣの支配エリアに位置することができる。
【００９８】
本発明の本実施形態では、第１のユーザ機器は、第１のユーザ機器の属するモバイルグループからモバイルグループを任意に選択して、グループ通信データをアップリンクで送信する。これにより、アップリンクリソースの浪費が低減される。第１の事前設定された対応関係は、グループ通信サーバにおいて予め構成される。よって、第１のユーザ機器の位置する第１のセルのセル識別子を取得した後、グループ通信サーバは、第１の事前設定された対応関係に従って、第１のユーザ機器による送信待ちのグループ通信データがダウンリンクでブロードキャストされる必要のある第１のモバイルグループのグループ識別子を取得して、第１のモバイルグループの第１のユーザ機器以外のユーザ機器に、第１のモバイルグループのグループ識別子に従って、第１のユーザ機器による送信待ちのグループ通信データを送信することができる。これにより、ダウンリンクリソースの浪費が低減される。
【００９９】
実施形態２
図５に示されるように、本発明の別の実施形態はグループ通信方法を提供する。本方法は、以下のステップを含む。
【０１００】
Ｓ２０１．第１のユーザ機器がグループ通信ネットワークにアクセスする。
【０１０１】
Ｓ２０２．第１のユーザ機器が、第１のユーザ機器にサービスを提供する第１のセルのセル識別子を取得し、グループ通信データと第１のセルのセル識別子とをグループ通信サーバに送信する。
【０１０２】
Ｓ２０３．第１のユーザ機器によって送信されたグループ通信データと第１のセルのセル識別子とを受信した後、グループ通信サーバが、第１のセルのセル識別子に従って、第１の事前設定された対応関係から、第１のセルのセル識別子に対応する第１のモバイルグループのグループ識別子を取得する。
【０１０３】
Ｓ２０４．グループ通信サーバが、第１のモバイルグループのグループ識別子に従って、第２のユーザ機器にグループ通信データを送信する。
【０１０４】
本発明の本実施形態のＳ２０１は、前の実施形態のＳ１０１と同じであり、Ｓ２０３は、前の実施形態のＳ１０４と同じであり、Ｓ２０４は、実施形態１のＳ１０５と同じであり、ここでは詳細の説明を省略する。
【０１０５】
本実施形態と前の実施形態との違いは、本発明の本実施形態では、Ｓ２０２でグループ通信サーバにグループ通信データを送信するとき、第１のユーザ機器が更に、第１のユーザ機器にサービスを提供する第１のセルのセル識別子を送信することである。このように、グループ通信サーバは、第１のユーザ機器によって送信された情報に従って、第１のユーザ機器にサービスを提供する第１のセルのセル識別子を直接取得することができる。グループ通信サーバは、第１のユーザ機器の属する基地局とのシグナリングのやり取りをもはや必要としない。よって、グループ通信サーバが第１のユーザ機器の属する第１のセルのセル識別子を取得するときに、シグナリングオーバヘッドが低減される。
【０１０６】
実施形態３
【０１０７】
図６に示されるように、本発明の別の実施形態は、グループ通信方法を提供する。本方法は以下のステップを含む。
【０１０８】
Ｓ３０１．第１のユーザ機器がグループ通信ネットワークにアクセスする。
【０１０９】
Ｓ３０２．第１のユーザ機器が、第１のユーザ機器にサービスを提供する基地局に、グループ通信データ及びグループ通信サービス識別子を含む第２のグループ通信情報を送信する。
【０１１０】
Ｓ３０３．第１のユーザ機器にサービスを提供する基地局が、第１のユーザ機器によって送信された第２のグループ通信情報を解析し、グループ通信サービス識別子に従って、第１のユーザ機器の属する第１のセルのセル識別子と、第２のグループ通信情報とを、グループ通信サーバに送信する。
【０１１１】
Ｓ３０４．基地局によって送信された第１のセルのセル識別子と第２のグループ通信情報とを受信した後、グループ通信サーバが、第１のセルのセル識別子に従って、第１の事前設定された対応関係から、第１のセルのセル識別子に対応する第１のモバイルグループのグループ識別子を取得する。
【０１１２】
Ｓ３０５．グループ通信サーバが、第１のモバイルグループのグループ識別子に従って、第２のユーザ機器にグループ通信データを送信する。
【０１１３】
本発明の本実施形態におけるＳ３０１は、上述の実施形態におけるＳ１０１と同じであり、Ｓ３０４は、上述の実施形態のＳ１０４及びＳ２０３と同じであり、Ｓ３０５は、上述の実施形態におけるＳ１０５及びＳ２０４と同じである。ここでは詳細の説明を省略する。
【０１１４】
本実施形態と上述の実施形態との違いは、本発明の本実施形態では、第１のユーザ機器がＳ３０２でグループ通信サーバにグループ通信データを送信するとき、第１のユーザ機器がグループ通信サービス識別子を送信することである。グループ通信サービス識別子は、第１のユーザ機器の位置するネットワークがグループ通信ネットワークであることを表すのに用いられる。このように、第１のユーザ機器にサービスを提供する基地局は、グループ通信サービス識別子に従って、第１のユーザ機器によって送信された情報がグループサービスデータであることを知ることができる。よって、基地局は、第１のユーザ機器の属する第１のセルのセル識別子と、第２の通信情報とを、グループ通信サーバに送信する。つまり、Ｓ３０３を実行する。
【０１１５】
前の実施形態と比較すると、本発明の本実施形態における第１のユーザ機器にサービスを提供する基地局は、第１のユーザ機器の属する第１のセルのセル識別子をグループ通信サーバに送信する。よって、グループ通信データをアップリンクで送信する際に、第１のユーザ機器が更に第１のセルのセル識別子を送信するときのオーバヘッドが低減される。
【０１１６】
実施形態４
図７に示されるように、本発明の別の実施形態はグループ通信方法を提供する。本方法は、以下のステップを含む。
【０１１７】
Ｓ４０１．第１のユーザ機器がグループ通信ネットワークにアクセスする。
【０１１８】
Ｓ４０２．第１のユーザ機器にサービスを提供する基地局が、第１のモバイルグループの通信レイヤグループ識別子を含む第１のメッセージをブロードキャストする。
【０１１９】
第１のメッセージは、少なくとも２つのモバイルグループの通信レイヤグループ識別子を含む。第１のモバイルグループは、少なくとも２つのモバイルグループのうち１つである。第１のモバイルグループの通信レイヤグループ識別子は、第１のメッセージの事前設定された位置に配置される。第１のユーザ機器は、第１のモバイルグループのグループ識別子のみを追加して、第１のユーザ機器による送信待ちのグループ通信データを送信する。
【０１２０】
Ｓ４０３．第１のユーザ機器が、第１のメッセージの事前設定された位置から、第１のモバイルグループの通信レイヤグループ識別子を抽出する。
【０１２１】
Ｓ４０４．第１のユーザ機器が、第１のモバイルグループの通信レイヤグループ識別子と、グループ通信データとを、グループ通信サーバに送信する。
【０１２２】
Ｓ４０５．第１のユーザ機器によって送信された第１のモバイルグループの通信レイヤグループ識別子とグループ通信データとを受信した後、グループ通信サーバが、第１のモバイルグループの通信レイヤグループ識別子に従って、第２のユーザ機器にグループ通信データを送信する。
【０１２３】
本発明の本実施形態では、第１のユーザ機器は、第１のモバイルグループのグループ識別子のみを追加して、第１のユーザ機器による送信待ちのグループ通信データを送信する。したがって、第１のモバイルグループは、第１のユーザ機器の１次モバイルグループである。第１のユーザ機器の属する基地局は、第１のモバイルグループの通信レイヤグループ識別子を含む第１のメッセージをブロードキャストし、第１のモバイルグループの通信レイヤグループ識別子は、事前設定された位置に配置される。よって、第１のユーザ機器は、第１のメッセージの事前設定された位置から、第１のユーザ機器の１次モバイルグループの通信レイヤ識別子、つまり、第１のモバイルグループの通信レイヤ識別子を抽出することができ、そして、第１のユーザ機器は、第１のモバイルグループにおいてグループ通信データをアップリンクで送信する。アップリンクでグループ通信データを複数回送信するために、ユーザ機器が異なるモバイルグループのアプリケーションレイヤ識別子を追加する必要がある従来技術と比較して、本発明の本実施形態で提供されるグループ通信方法は、アップリンクリソースの浪費を大幅に低減する。
【０１２４】
好ましくは、本発明の本実施形態では、基地局によってブロードキャストされる第１のメッセージはシステムメッセージである。
【０１２５】
具体的には、グループ通信サーバが、第１のモバイルグループの通信レイヤグループ識別子に従って、第１のモバイルグループの第１のユーザ機器以外のユーザ機器にグループ通信データを送信するＳ４０５の具体的なプロセスは、上述の実施形態のＳ１０５、Ｓ２０４及びＳ３０５と同様である。ここでは詳細の説明を省略する。
【０１２６】
第１のユーザ機器は、グループ通信データを送信するときに第１のモバイルグループの通信レイヤグループ識別子のみを追加するので、グループ通信サーバは、第１のモバイルグループの通信レイヤグループ識別子のみに従って、第１のモバイルグループの第１のユーザ機器以外のユーザ機器に、ダウンリンクでグループ通信データを送信し、別のセルではグループ通信データを送信しない。これにより、ダウンリンクリソースの浪費が低減される。
【０１２７】
更に、第１のモバイルグループの通信レイヤグループ識別子を取得した後、本発明の本実施形態における第１のユーザ機器は更に、第１のモバイルグループのアプリケーションレイヤグループ識別子とグループ通信データとをグループ通信サーバに送信するために、第１のモバイルグループの通信レイヤグループ識別子に従って、第３の事前設定された対応関係から、第１のモバイルグループのアプリケーションレイヤグループ識別子を取得してよい。この適用シナリオでは、第１のユーザ機器と、第１のユーザ機器の属する基地局と、グループ通信サーバとの間のインタラクションプロセスは、図７のものと同様であり、本発明の本実施形態を説明するための添付図面は再び提供されない。
【０１２８】
実施形態５
図８に示されるように、本発明の別の実施形態はグループ通信方法を提供する。本方法は、以下のステップを含む。
【０１２９】
Ｓ５０１．第１のユーザ機器が、第１のユーザ機器の属する基地局に、属性情報を含む性能メッセージを送信する。属性情報は、第１のユーザ機器がグループ通信ネットワーク上のユーザ機器であることを示すのに用いられる。
【０１３０】
Ｓ５０２．性能メッセージを受信した後、第１のユーザ機器にサービスを提供する基地局が、属性情報に従って、基地局と第１のユーザ機器との間でグループ通信ネットワークベアラを確立する。
【０１３１】
Ｓ５０３．第１のユーザ機器にサービスを提供する基地局が、少なくとも第１のモバイルグループの通信レイヤグループ識別子を含む第２のメッセージを第１のユーザ機器に送信する。
【０１３２】
グループ通信サーバは、第１のモバイルグループにおいてのみ、第１のユーザ機器とグループ通信データを伝送する。第１のユーザ機器は、第１のモバイルグループのグループ識別子のみを追加して、第１のユーザ機器による送信待ちのグループ通信データを送信する。すなわち、第１のモバイルグループは、第１のユーザ機器の１次モバイルグループである。
【０１３３】
好ましくは、本発明の本実施形態では、第２のメッセージはＲＲＣ（Ｒａｄｉｏ  Ｒｅｓｏｕｒｃｅ  Ｃｏｎｔｒｏｌ，無線リソース制御プロトコル）メッセージである。
【０１３４】
Ｓ５０４．第１のユーザ機器が、第２のメッセージから、第１のモバイルグループの通信レイヤグループ識別子を抽出する。
【０１３５】
Ｓ５０５．第１のユーザ機器が、第１のモバイルグループの通信レイヤグループ識別子とグループ通信データとを、グループ通信サーバに送信する。
【０１３６】
Ｓ５０６．第１のユーザ機器によって送信された第１のモバイルグループの通信レイヤグループ識別子とグループ通信データとを受信した後、グループ通信サーバが、第１のモバイルグループの通信レイヤグループ識別子に従って、第２のユーザ機器にグループ通信データを送信する。
【０１３７】
本発明の本実施形態におけるＳ５０５，Ｓ５０６は、前の実施形態におけるＳ４０４，Ｓ４０５と同じであり、ここでは詳細の説明を省略する。
【０１３８】
本実施形態と前の実施形態の違いは、本発明の本実施形態では、第１のユーザ機器が、まず第１のユーザ機器の属する基地局に属性情報を含む性能メッセージを報告し、第１のユーザ機器の属する基地局が、属性情報に従って、第１のユーザ機器へのネットワーク接続を確立し、第２のメッセージを用いて、第１のモバイルグループの通信レイヤグループ識別子を第１のユーザ機器に直接送信することである。第２のメッセージは、専用シグナリングの機能と同じ機能を有する。このように、第１のユーザ機器の属する基地局と第１のユーザ機器との間の専用シグナリングの情報要素のみを定義する必要がある。
【０１３９】
前の実施形態では、第１のメッセージがシステムメッセージである場合、システムメッセージのフォーマットや、メッセージで搬送されるコンテンツのレイアウトを変更する必要がある。前の実施形態と比較すると、本発明の本実施形態では、第１のユーザ機器の属する基地局は、第２のメッセージを用いて、第１のモバイルグループの通信レイヤグループ識別子を第１のユーザ機器に直接送信する。よって、システムメッセージが変更される必要はなく、実施がより単純で簡便である。
【０１４０】
実施形態６
図９に示されるように、本発明の更に別の実施形態は、グループ通信方法を提供する。本方法は、以下のステップを含む。
【０１４１】
Ｓ６０１．第１のユーザ機器がグループ通信ネットワークにアクセスする。
【０１４２】
Ｓ６０２．第１のユーザ機器が、第１のユーザ機器の位置する第１のセルのセル識別子を取得し、第２の事前設定された対応関係から、第１のセルのセル識別子に対応する第１のモバイルグループのグループ識別子を取得する。
【０１４３】
第２の事前設定された対応関係は、少なくとも１つのセルのセル識別子と、少なくとも１つのセルの各セルが属する１次モバイルグループのグループ識別子とを記憶している。
【０１４４】
Ｓ６０３．第１のユーザ機器が、第１のモバイルグループのグループ識別子とグループ通信データとを、グループ通信サーバに送信する。
【０１４５】
Ｓ６０４．第１のユーザ機器によって送信された第１のモバイルグループのグループ識別子とグループ通信データとを受信した後、グループ通信サーバが、第１のモバイルグループのグループ識別子に従って、第２のユーザ機器にグループ通信データを送信する。
【０１４６】
本発明の本実施形態におけるＳ６０１は、前の実施形態におけるＳ４０１と同じであり、Ｓ６０３及びＳ６０４は、前の実施形態におけるＳ５０５及びＳ５０６と同じである。ここでは詳細の説明を省略する。
【０１４７】
本実施形態と上述の実施形態との相違点は、本発明の本実施形態では、第１のユーザ機器自体が、少なくとも１つのセルのセル識別子と、少なくとも１つのセルの各セルが属する１次モバイルグループのグループ識別子との間の、第２の事前設定された対応関係を記憶していることである。このように、第１のユーザ機器の属する第１のセルのセル識別子を取得した後、グループ通信データと第１のモバイルグループのグループ識別子とをグループ通信サーバに送信するために、第１のユーザ機器は、第２の事前設定された対応関係から、第１のセルのセル識別子に対応する第１のモバイルグループのグループ識別子を取得してよい。
【０１４８】
同様に、上述の実施形態におけるモバイルグループのグループ識別子と同様に、本発明の本実施形態におけるモバイルグループのグループ識別子は、モバイルグループのアプリケーションレイヤグループ識別子、又はモバイルグループの通信レイヤグループ識別子、又はモバイルグループのエリア識別子であってよい。ここでは詳細の説明を省略する。
【０１４９】
前の実施形態と比較して、本発明の本実施形態では、ユーザ機器は、シグナリングやシステムメッセージを変更することなく、第１のモバイルグループの通信レイヤグループ識別子を取得することができる。
【０１５０】
上述の実施形態から分かるように、どの実施形態においても、本発明で提供されるグループ通信方法のいずれかを用いることにより、アップリンク及びダウンリンクのリソースの浪費を低減することができる。
【０１５１】
実施形態７
本発明の本実施形態はグループ通信サーバを提供する。グループ通信サーバは、上述の方法においてグループ通信サーバによって実行されるステップを実行するように構成される。グループ通信サーバは、対応するステップに対応するモジュールを備えてよい。例えば、図１０に示されるように、グループ通信サーバは、
第１のユーザ機器による送信待ちのグループ通信データと、第１のセルのセル識別子とを取得するように構成され、第１のセルのセル識別子に従って、第１の事前設定された対応関係から、第１のセルのセル識別子に対応する第１のモバイルグループのグループ識別子を取得するように構成される取得ユニット１０であって、第１のセルは第１のユーザ機器にサービスを提供し、第１の事前設定された対応関係は、第１のセルのセル識別子と、第１のモバイルグループのグループ識別子とを記憶している、取得ユニット１０と、
取得ユニット１０によって取得された第１のモバイルグループのグループ識別子に従って、第１のモバイルグループの第１のユーザ機器以外のユーザ機器に、グループ通信データを送信するように構成される送信ユニット１１と、
を備えてよい。
【０１５２】
更に、取得ユニット１０は、具体的には、第１のユーザ機器又は基地局によって送信された第１のグループ通信情報を受信及び解析するように構成される。第１のグループ通信情報は、グループ通信データと第１のセルのセル識別子とを含み、基地局は、第１のユーザ機器にサービスを提供する。
【０１５３】
第１のモバイルグループのグループ識別子は、第１のモバイルグループの通信レイヤグループ識別子、第１のモバイルグループのアプリケーションレイヤグループ識別子、又は第１のモバイルグループのエリア識別子である。
【０１５４】
なお、本実施形態のグループ通信サーバは、図４〜図９の実施形態のいずれか１つのグループ通信方法におけるグループ通信サーバに対応してよい。本実施形態におけるグループ通信サーバの各種モジュールの分割及び／又は機能は、図４〜図９のいずれか１つに示される方法のプロセスを実現するために用いられる。簡潔にするために、ここでは詳細の説明を省略する。
【０１５５】
本発明の本実施形態で提供されるグループ通信サーバは、主に取得ユニット及び送信ユニットを備える。第１のユーザ機器による送信待ちのグループ通信データと第１のセルのセル識別子とを取得した後、グループ通信サーバは、第１の事前設定された対応関係と第１のセルのセル識別子とに従って、グループ通信サーバがグループ通信サーバによって取得されたグループ通信データをダウンリンクで送信する一連のセルを取得する。つまり、第１のモバイルグループのグループ識別子を取得する。このように、グループ通信サーバは、第１のモバイルグループの第１のユーザ機器以外のユーザ機器に、グループ通信サーバによって取得されたグループ通信データを送信する。これにより、グループ通信サーバがグループ通信データをダウンリンクで送信する際に用いられるリソースの浪費が低減される。これに対応して、第１のユーザ機器は、第１のユーザ機器の属するモバイルグループから任意にモバイルグループを選択して、グループ通信データをアップリンクで送信する。よって、グループ通信サーバがグループ通信データを取得することで、アップリンクリソースの浪費が低減される。
【０１５６】
実施形態８
本発明の本実施形態はユーザ機器を提供する。ユーザ機器は、上述の方法において第１のユーザ機器によって実行されるステップを実行するように構成される。ユーザ機器は、対応するステップに対応するモジュールを備えてよい。ユーザ機器は、上述の第１のユーザ機器である。例えば、図１１に示されるように、ユーザ機器は、
第１の識別子を取得するように構成される取得ユニット２０であって、第１の識別子は、第１のセルのセル識別子又は第１のモバイルグループのグループ識別子であり、第１のセルはユーザ機器にサービス提供し、グループ通信サーバは、第１のモバイルグループにおいてのみ、ユーザ機器とグループ通信データを伝送する、取得ユニット２０と、
取得ユニット２０によって取得された第１の識別子と、送信待ちのグループ通信データとを、グループ通信サーバに送信するように構成される送信ユニット２１と、
を備えてよい。
【０１５７】
更に、取得ユニット２０は、具体的には、
ユーザ機器の位置する第１のセルのセル識別子を取得するように構成され、
第１のセルのセル識別子に従って、第２の事前設定された対応関係から、第１のセルのセル識別子に対応する第１のモバイルグループのグループ識別子を取得するように構成される。第２の事前設定された対応関係は、第１のセルのセル識別子と、第１のモバイルグループのグループ識別子とを記憶している。
【０１５８】
第１のモバイルグループのグループ識別子は、第１のモバイルグループの通信レイヤグループ識別子、第１のモバイルグループのアプリケーションレイヤグループ識別子、又は第１のモバイルグループのエリア識別子である。
【０１５９】
更に、第１のモバイルグループのグループ識別子は、第１のモバイルグループのアプリケーションレイヤグループ識別子であり、
取得ユニット２０は、具体的には、
第１のモバイルグループの通信レイヤグループ識別子を取得するように構成され、
第１のモバイルグループの通信レイヤグループ識別子に従って、第３の事前設定された対応関係から、第１のモバイルグループの通信レイヤグループ識別子に対応する第１のモバイルグループのアプリケーションレイヤグループ識別子を取得するように構成される。第３の事前設定された対応関係は、第１のモバイルグループの通信レイヤグループ識別子と、第１のモバイルグループのアプリケーションレイヤグループ識別子とを記憶している。
【０１６０】
更に、図１２に示されるように、第１のモバイルグループのグループ識別子は、第１のモバイルグループのアプリケーションレイヤグループ識別子であり、ユーザ機器は更に受信ユニット２２を備える。
【０１６１】
受信ユニット２２は、基地局によってブロードキャストされた第１のメッセージを受信するように構成される。第１のメッセージは、少なくとも２つのモバイルグループの通信レイヤグループ識別子を含む。第１のモバイルグループは、少なくとも２つのモバイルグループのうち１つである。第１のモバイルグループの通信レイヤグループ識別子は、第１のメッセージの事前設定された位置に配置される。基地局は、ユーザ機器にサービスを提供する。
【０１６２】
更に、図１２に示されるように、取得ユニット２０は抽出サブユニット２３を有する。
【０１６３】
抽出サブユニット２３は、受信ユニット２２によって受信された第１のメッセージの事前設定された位置から、第１のモバイルグループの通信レイヤグループ識別子を抽出するように構成される。
【０１６４】
更に、第１のモバイルグループのグループ識別子は、第１のモバイルグループのアプリケーションレイヤグループ識別子であり、
送信ユニット２１は、基地局に性能メッセージを送信するように構成される。性能メッセージは少なくとも属性情報を含む。属性情報は、ユーザ機器がグループ通信ネットワーク上のユーザ機器であることを示すのに用いられる。基地局は、ユーザ機器にサービスを提供する。
【０１６５】
更に、受信ユニット２２は、基地局によって送信された第２のメッセージを受信するように構成される。第２のメッセージは、少なくとも第１のモバイルグループの通信レイヤグループ識別子を含む。
【０１６６】
更に、抽出サブユニット２３は、受信ユニット２２によって受信された第２のメッセージから、第１のモバイルグループの通信レイヤグループ識別子を抽出するように構成される。
【０１６７】
なお、本実施形態のユーザ機器は、図４〜図９の実施形態のいずれか１つのグループ通信方法における第１のユーザ機器に対応してよい。本実施形態におけるユーザ機器の各種モジュールの分割及び／又は機能は、図４〜図９のいずれか１つに示される方法のプロセスを実現するために用いられる。簡潔にするために、ここでは詳細の説明を省略する。
【０１６８】
本発明の本実施形態で提供されるユーザ機器は、主に取得ユニット及び送信ユニットを備える。また、ユーザ機器は、送信待ちのグループ通信データをグループ通信サーバに送信するとき、第１のセルのセル識別子、又は第１のモバイルグループのグループ識別子を追加する。第１のセルは、ユーザ機器にサービスを提供するセルであり、グループ通信サーバは、第１のモバイルグループのみにおいてユーザ機器とグループ通信データを伝送する。したがって、ユーザ機器は、第１の識別子のみを追加して送信待ちのグループ通信データを送信し、もはや別のモバイルグループのグループ識別子を追加して送信待ちのグループ通信データを送信することはない。これにより、アップリンクリソースの浪費が低減される。加えて、第１のユーザ機器によって送信されたグループ通信データ及び第１の識別子を受信した後、グループ通信サーバは、第１の識別子に従って、グループ通信データがダウンリンクで送信されたユーザ機器を決定することができる。これにより、ダウンリンクリソースの浪費が低減される。
【０１６９】
実施形態９
本発明の本実施形態は基地局を提供する。基地局は、上述の方法において基地局によって実行されるステップを実行するように構成される。基地局は、対応するステップに対応するモジュールを備えてよい。例えば、図１３に示されるように、基地局は、
第１のモバイルグループの通信レイヤグループ識別子を第１のユーザ機器に送信するように構成される送信ユニット３０であって、グループ通信サーバは、第１のモバイルグループにおいてのみ、第１のユーザ機器とグループ通信データを伝送し、基地局は、第１のユーザ機器にサービスを提供する、送信ユニット３０、
を備えてよい。
【０１７０】
更に、送信ユニット３０は、具体的には、第１のメッセージをブロードキャストするように構成される。第１のメッセージは、少なくとも２つのモバイルグループの通信レイヤグループ識別子を含み、第１のモバイルグループは、少なくとも２つのモバイルグループのうち１つであり、第１のモバイルグループの通信レイヤグループ識別子は、第１のメッセージの事前設定された位置に配置される。
【０１７１】
更に、図１４に示されるように、基地局は更に受信ユニット３１を備える。
【０１７２】
受信ユニット３１は、第１のユーザ機器によって送信された性能メッセージを受信するように構成される。性能メッセージは少なくとも属性情報を含み、属性情報は、第１のユーザ機器がグループ通信ネットワーク上のユーザ機器であることを示すのに用いられる。
【０１７３】
更に、図１４に示されるように、基地局は更に決定ユニット３２を備える。
【０１７４】
決定ユニット３２は、受信ユニット３１によって受信された属性情報に従って、第１のモバイルグループの通信レイヤグループ識別子を決定するように構成される。
【０１７５】
更に、送信ユニット３０は、具体的には、第１のユーザ機器に第２のメッセージを送信するように構成される。第２のメッセージは、少なくとも、決定ユニット３２によって決定された第１のモバイルグループの通信レイヤグループ識別子を含む。
【０１７６】
更に、図１４に示されるように、基地局は更に解析ユニット３３を備える。
【０１７７】
解析ユニット３３は、第１のユーザ機器によって送信された第２のグループ通信情報を解析するように構成される。第２のグループ通信情報は、グループ通信サービス識別子と、第１のユーザ機器による送信待ちのグループ通信データとを含む。グループ通信サービス識別子は、第１のユーザ機器の位置するネットワークがグループ通信ネットワークであることを表すのに用いられる。基地局は、第１のユーザ機器にサービスを提供する。
【０１７８】
更に、送信ユニット３０は、解析ユニット３３によって取得されたグループ通信サービス識別子に従って、第１のユーザ機器の属する第１のセルのセル識別子と、第２のグループ通信情報とを、グループ通信サーバに送信するように構成される。
【０１７９】
なお、本実施形態の基地局は、図４〜図９の実施形態のいずれか１つのグループ通信方法における基地局に対応してよい。本実施形態における基地局の各種モジュールの分割及び／又は機能は、図４〜図９のいずれか１つに示される方法のプロセスを実現するために用いられる。簡潔にするために、ここでは詳細の説明を省略する。
【０１８０】
本発明の本実施形態で提供される基地局によれば、基地局は、第１のモバイルグループの通信レイヤグループ識別子を第１のユーザ機器に送信する。よって、送信待ちのグループ通信データをグループ通信サーバに送信するとき、第１のユーザ機器は第１のモバイルグループのグループ識別子のみを追加する。別のモバイルグループのグループ識別子を追加して送信待ちのグループ通信データを送信することはなくなり、これにより、アップリンクリソースの浪費が低減される。加えて、第１のユーザ機器によって送信されたグループ通信データ及び第１の識別子を受信した後、グループ通信サーバは、第１の識別子に従って、グループ通信データがダウンリンクで送信される第１のユーザ機器を決定することができる。これにより、ダウンリンクリソースの浪費が低減される。或いは、基地局は、グループ通信サーバに、第１のユーザ機器の属する第１のセルのセル識別子と、第１のユーザ機器によって送信された第２のグループ通信情報とを送信する。よって、第１のユーザ機器がグループ通信サーバにグループ通信データを送信するときに第１のセルのセル識別子を追加するときの処理オーバヘッドが低減される。
【０１８１】
実施形態１０
本発明の本実施形態はグループ通信サーバを提供する。図１５に示されるように、グループ通信サーバは、インタフェース回路４０、プロセッサ４１、メモリ４２及びシステムバス４３を備える。
【０１８２】
インタフェース回路４０、プロセッサ４１及びメモリ４２は、システムバス４３を用いて互いに接続され、通信をおこなう。
【０１８３】
メモリ４２は、第１の事前設定された対応関係及び第３の事前設定された対応関係を記憶するように構成される．。第１の事前設定された対応関係は、少なくとも１つのセルのセル識別子と、少なくとも１つのセルの各セルが属する１次モバイルグループのグループ識別子とを記憶している。各セルの属するモバイルグループは、グループ通信サーバがセル内のユーザ機器と通信するモバイルグループである。セル内のユーザ機器は、１次モバイルグループのモバイルグループ識別子のみを追加してデータを送信するが、別のモバイルグループのグループ識別子を追加はしない。第１のセルのセル識別子は、少なくとも１つのセルのセル識別子の１つである。第３の事前設定された対応関係は、少なくとも１つのモバイルグループの通信レイヤグループ識別子と、少なくとも１つのモバイルグループの各モバイルグループのアプリケーションレイヤグループ識別子とを記憶している。
【０１８４】
グループ通信サーバの動作時、グループ通信サーバは、図４〜図９の実施形態のいずれか１つにおけるグループ通信方法を実行する。具体的なグループ通信方法については、図４〜図９のいずれかに示される実施形態の関連説明を参照されたい。ここでは詳細の説明を省略する。
【０１８５】
任意に、本発明の本実施形態のグループ通信サーバは、ＬＴＥシステムにおけるＧＣＳ  ＡＳであってよく、或いは、Ｖ２Ｖ通信システムにおけるＶ２Ｖアプリケーションサーバであってよい。これは、本発明の本実施形態では具体的に限定されない。
【０１８６】
具体的には、プロセッサ４１は、ＣＰＵ（Ｃｅｎｔｒａｌ  Ｐｒｏｃｅｓｓｉｎｇ  Ｕｎｉｔ，中央演算処理装置）であってよい。プロセッサ４１は更に、別の汎用プロセッサ、ＤＳＰ（Ｄｉｇｉｔａｌ  Ｓｉｇｎａｌ  Ｐｒｏｃｅｓｓｉｎｇ，デジタル信号プロセッサ）或いは別のプログラマブルロジックデバイス或いはトランジスタロジックデバイス、ディスクリートハードウェアコンポーネントなどであってよい。汎用プロセッサはマイクロプロセッサであってもよいし、或いはプロセッサは任意の従来のプロセッサなどであってもよい。
【０１８７】
プロセッサ４１は専用プロセッサであってよい。専用プロセッサは、ベースバンド処理チップや無線周波数処理チップ等のうち少なくとも１つを含んでよい。更に、専用プロセッサは、グループ通信サーバの別の専用処理機能を有するチップを含んでもよい。
【０１８８】
具体的には、メモリ４２は、ＲＡＭ（Ｒａｎｄｏｍ−ａｃｃｅｓｓ  Ｍｅｍｏｒｙ，ランダムアクセスメモリ）などの揮発性メモリ（Ｖｏｌａｔｉｌｅ  Ｍｅｍｏｒｙ）であってよい。メモリ４２は、ＲＯＭ（Ｒｅａｄ−ｏｎｌｙ  Ｍｅｍｏｒｙ，読取り専用メモリ）、フラッシュメモリ（Ｆｌａｓｈ  Ｍｅｍｏｒｙ）、ＨＤＤ（Ｈａｒｄ  Ｄｉｓｋ  Ｄｒｉｖｅ，ハードディスクドライブ）、ＳＳＤ（Ｓｏｌｉｄ−Ｓｔａｔｅ  Ｄｒｉｖｅ，ソリッド・ステート・ドライブ）等の不揮発性メモリ（Ｖｏｌａｔｉｌｅ  Ｍｅｍｏｒｙ）であってもよい。メモリ４２は更に、上述のタイプのメモリの組合わせであってよい。
【０１８９】
システムバス４３は、データバス、電源バス、制御バス及び信号ステータスバスを含んでよい。本実施形態では、明確な説明のために、図１５の各種バスがシステムバス４３として表記される。
【０１９０】
本発明の本実施形態で提供されるグループ通信サーバによれば、第１のユーザ機器による送信待ちのグループ通信データと第１のセルのセル識別子とを受信した後、グループ通信サーバは、第１の事前設定された対応関係と第１のセルのセル識別子とに従って、グループ通信サーバがグループ通信サーバによって取得されたグループ通信データをダウンリンクで送信する一連のセルを取得する。つまり、第１のモバイルグループのグループ識別子を取得する。このように、グループ通信サーバは、第１のモバイルグループの第１のユーザ機器以外のユーザ機器に、グループ通信サーバによって取得されたグループ通信データを送信する。これにより、グループ通信サーバがグループ通信データをダウンリンクで送信する際に用いられるリソースの浪費が低減される。これに対応して、第１のユーザ機器は、第１のユーザ機器の属するモバイルグループから任意にモバイルグループを選択して、グループ通信データをアップリンクで送信する。よって、グループ通信サーバがグループ通信データを取得することで、アップリンクリソースの浪費が低減される。
【０１９１】
実施形態１１
本発明の本実施形態はユーザ機器を提供する。図１６に示されるように、ユーザ機器は、インタフェース回路５０、プロセッサ５１、メモリ５２及びシステムバス５３を備える。
【０１９２】
インタフェース回路５０、プロセッサ５１及びメモリ５２は、システムバス５３を用いて互いに接続され、通信をおこなう。
【０１９３】
メモリ５２は、コンピュータ実行可能命令及び第２の事前設定された対応関係を記憶するように構成される。第２の事前設定された対応関係は、少なくとも１つのセルのセル識別子と、少なくとも１つのセルの各セルが属する１次モバイルグループのグループ識別子とを記憶している。
【０１９４】
ユーザ機器の動作時、ユーザ機器は、図４〜図９の実施形態のいずれか１つのグループ通信方法を実行する。具体的なグループ通信方法については、図４〜図９のいずれか１つに示される実施形態の関連説明を参照されたい。ここでは詳細の説明を省略する。
【０１９５】
具体的には、プロセッサ５１はＣＰＵであってよく、更に、別の汎用プロセッサ、ＤＳＰ或いは別のプログラマブルロジックデバイス或いはトランジスタロジックデバイス、ディスクリートハードウェアコンポーネントなどであってよい。汎用プロセッサはマイクロプロセッサであってもよいし、或いはプロセッサは任意の従来のプロセッサなどであってもよい。
【０１９６】
プロセッサ５１は専用プロセッサであってよい。専用プロセッサは、ベースバンド処理チップや無線周波数処理チップ等のうち少なくとも１つを含んでよい。更に、専用プロセッサは、グループ通信サーバの別の専用処理機能を有するチップを含んでもよい。
【０１９７】
具体的には、メモリ５２は、ＲＡＭなどの揮発性メモリであってよい。メモリ５２は、ＲＯＭ、フラッシュメモリ、ＨＤＤ、ＳＳＤなどの不揮発性メモリであってもよい。メモリ５２は更に、上述のタイプのメモリの組合わせであってよい。
【０１９８】
システムバス５３は、データバス、電源バス、制御バス及び信号ステータスバスを含んでよい。本実施形態では、明確な説明のために、図１６の各種バスがシステムバス５３として表記される。
【０１９９】
本発明の本実施形態で提供されるユーザ機器によれば、送信待ちのグループ通信データをグループ通信サーバに送信するとき、ユーザ機器はまた、第１のセルのセル識別子又は第１のモバイルグループのグループ識別子を追加する。第１のセルは、ユーザ機器にサービスを提供するセルであり、グループ通信サーバは、第１のモバイルグループにおいてのみ、ユーザ機器とグループ通信データを伝送する。したがって、ユーザ機器は、第１の識別子のみを追加して送信待ちのグループ通信データを送信し、別のモバイルグループのグループ識別子を追加して送信待ちのグループ通信データを送信することはなくなる。これにより、アップリンクリソースの浪費が低減される。加えて、第１のユーザ機器によって送信されたグループ通信データ及び第１の識別子を受信した後、グループ通信サーバは、第１の識別子に従って、グループ通信データがダウンリンクで送信されるユーザ機器を決定することができる。これにより、ダウンリンクリソースの浪費が低減される。
【０２００】
実施形態１２
本発明の本実施形態は基地局を提供する。図１７に示されるように、基地局は、インタフェース回路６０、プロセッサ６１、メモリ６２及びシステムバス６３を備える。
【０２０１】
インタフェース回路６０、プロセッサ６１及びメモリ６２は、システムバス６３を用いて互いに接続され、通信をおこなう。
【０２０２】
基地局の動作時、基地局は、図４〜図９の実施形態のいずれか１つのグループ通信方法を実行する。具体的なグループ通信方法については、図４〜図９のいずれか１つに示される実施形態の関連説明を参照されたい。ここでは詳細の説明を省略する。
【０２０３】
具体的には、プロセッサ６１はＣＰＵであってよく、更に、別の汎用プロセッサ、ＤＳＰ或いは別のプログラマブルロジックデバイス或いはトランジスタロジックデバイス、ディスクリートハードウェアコンポーネントなどであってよい。汎用プロセッサはマイクロプロセッサであってもよいし、或いはプロセッサは任意の従来のプロセッサなどであってもよい。
【０２０４】
プロセッサ６１は専用プロセッサであってよい。専用プロセッサは、ベースバンド処理チップや無線周波数処理チップ等のうち少なくとも１つを含んでよい。更に、専用プロセッサは、グループ通信サーバの別の専用処理機能を有するチップを含んでもよい。
【０２０５】
具体的には、メモリ６２は、ＲＡＭなどの揮発性メモリであってよい。メモリ６２は、ＲＯＭ、フラッシュメモリ、ＨＤＤ、ＳＳＤなどの不揮発性メモリであってもよい。メモリ６２は更に、上述のタイプのメモリの組合わせであってよい。
【０２０６】
システムバス６３は、データバス、電源バス、制御バス及び信号ステータスバスを含んでよい。本実施形態では、明確な説明のために、図１６の各種バスがシステムバス６３として表記される。
【０２０７】
本発明の本実施形態で提供される基地局によれば、基地局は、第１のモバイルグループの通信レイヤグループ識別子を第１のユーザ機器に送信する。よって、送信待ちのグループ通信データをグループ通信サーバに送信するとき、第１のユーザ機器は第１のモバイルグループのグループ識別子のみを追加する。別のモバイルグループのグループ識別子を追加して送信待ちのグループ通信データを送信することはなくなり、これにより、アップリンクリソースの浪費が低減される。加えて、第１のユーザ機器によって送信されたグループ通信データ及び第１の識別子を受信した後、グループ通信サーバは、第１の識別子に従って、グループ通信データがダウンリンクで送信される第１のユーザ機器を決定することができる。これにより、ダウンリンクリソースの浪費が低減される。或いは、基地局は、グループ通信サーバに、第１のユーザ機器の属する第１のセルのセル識別子と、第１のユーザ機器によって送信された第２のグループ通信情報とを送信する。よって、第１のユーザ機器がグループ通信サーバにグループ通信データを送信するときに第１のセルのセル識別子を追加するときの処理オーバヘッドが低減される。
【０２０８】
実施形態１２
図１８に示されるように、本発明の本実施形態はグループ通信システムを提供する。本システムは、グループ通信サーバ１と、少なくとも２つの基地局２と、各基地局２に接続された少なくとも２つのユーザ機器３とを含む。
【０２０９】
本発明の本実施形態で提供されるグループ通信システムによれば、グループ通信サーバ１、基地局２及びユーザ機器３は、図４〜図９の実施形態のいずれか１つのグループ通信方法のプロセスにおける対応するステップを実行することにより、本発明の実施形態におけるグループ通信方法をそれぞれ実現する。
【０２１０】
当業者であれば明らかに理解できるように、簡潔で簡単な説明のために、上述の機能モジュールの分割は、例示のための例として挙げられている。実際の適用では、上述の機能は、要件に応じて異なる機能モジュールに割り当て実現することができる。つまり、モバイルデバイスの内部構造は、上述した機能の全部又は一部を実現するために、異なる機能モジュールに分割される。上述のシステム、モバイルデバイス及びユニットの詳細な動作プロセスについては、上述の方法実施形態の対応するプロセスを参照されたい。ここでは詳細の説明を省略する。
【０２１１】
なお、本願で提供されるいくつかの実施形態において、開示されたシステム、モバイルデバイス及び方法は、他の方式で実施されてよい。例えば、記載されたモバイルデバイスの実施形態は例に過ぎない。例えば、モジュール又はユニットの分割は、論理的な機能分割に過ぎず、実際の実施においては他の分割であってよい。例えば、複数のユニット又はコンポーネントは組合わせ又は結合されて別のシステムとされてよく、或いは、一部の機能が無視されるか、実行されないことがあってよい。加えて、表示又は議論された相互の結合又は直接結合又は通信接続は、いくつかのインタフェースを介して実現されてよい。モバイルデバイス或いはユニット間の間接的な結合又は通信接続は、電子的、機械的、その他の形態で実現されてよい。
【０２１２】
別個の部品として記載されたユニットは、物理的に別個のものであってもなくてもよく、ユニットとして表示された部品は物理的ユニットであってもなくてもよく、１つの位置にあってもよいし、複数のネットワークユニットに分散されてもよい。実施形態の解決策の目的を達成するために、ユニットの一部又は全部は実際の要求に応じて選択されてよい。
【０２１３】
加えて、本発明の実施形態における機能ユニットは１つの処理ユニットに統合されてよく、或いはユニットの各々は物理的に単独で存在してよく、或いは２つ以上のユニットは１つのユニットに統合されてよい。統合ユニットは、ハードウェアの形態で実現されてよく、或いはソフトウェア機能ユニットの形式で実現されてもよい。
【０２１４】
統合ユニットがソフトウェア機能ユニットの形態で実現され、独立した製品として販売又は使用される場合、統合ユニットはコンピュータ可読記憶媒体に記憶されてよい。このような理解に基づき、本発明の技術的解決策は本質的に、或いは従来技術に貢献する部分、或いは技術的解決策の全部又は一部は、ソフトウェア製品の形態で実現されてよい。ソフトウェア製品は、記憶媒体に記憶され、コンピュータ装置（パーソナルコンピュータ、サーバ、ネットワーク装置などであってよい）又はプロセッサ（ｐｒｏｃｅｓｓｏｒ）に、本発明の実施形態に記載された方法のステップの全部又は一部を実行するように命令するためのいくつかの命令を含む。上述の記憶媒体は、ＵＳＢフラッシュドライブ、リムーバブルハードディスク、読出し専用メモリ（ＲＯＭ，Ｒｅａｄ−Ｏｎｌｙ  Ｍｅｍｏｒｙ）、ランダムアクセスメモリ（ＲＡＭ，Ｒａｎｄｏｍ  Ａｃｃｅｓｓ  Ｍｅｍｏｒｙ）、磁気ディスク、光ディスク等、プログラムコードを記憶することのできる任意の媒体を含む。
【０２１５】
説明は本発明の具体的な実施に過ぎず、本発明の保護範囲を限定するものではない。本発明で開示された技術的範囲内で当業者が容易に会得できる変形又は置換は、いずれも本発明の保護範囲に含まれるものとする。したがって、本発明の保護範囲は、特許請求の範囲の保護範囲に従うものとする。
【図１】
2019502334.tif 000003
【図２】
2019502334.tif 000004
【図３】
2019502334.tif 000005
【図４】
2019502334.tif 000006
【図５】
2019502334.tif 000007
【図６】
2019502334.tif 000008
【図７】
2019502334.tif 000009
【図８】
2019502334.tif 000010
【図９】
2019502334.tif 000011
【図１０】
2019502334.tif 000012
【図１１】
2019502334.tif 000013
【図１２】
2019502334.tif 000014
【図１３】
2019502334.tif 000015
【図１４】
2019502334.tif 000016
【図１５】
2019502334.tif 000017
【図１６】
2019502334.tif 000018
【図１７】
2019502334.tif 000019
【図１８】
2019502334.tif 000020
【手続補正書】
【提出日】平成30年6月8日(2018.6.8)
【手続補正１】
【補正対象書類名】特許請求の範囲
【補正対象項目名】全文
【補正方法】変更
【補正の内容】
【特許請求の範囲】
【請求項１】
グループ通信サーバが、第１のユーザ機器による送信待ちのグループ通信データと、第１のセルのセル識別子とを取得するステップであって、前記第１のセルは前記第１のユーザ機器にサービスを提供する、ステップと、
前記グループ通信サーバが、前記第１のセルの前記セル識別子に従って、第１の事前設定された対応関係から、前記第１のセルの前記セル識別子に対応する第１のモバイルグループのグループ識別子を取得するステップであって、前記第１の事前設定された対応関係は、前記第１のセルの前記セル識別子と、前記第１のモバイルグループの前記グループ識別子との間の対応関係である、ステップと、
前記グループ通信サーバが、前記第１のモバイルグループの前記グループ識別子に従って、前記第１のモバイルグループの前記第１のユーザ機器以外のユーザ機器に前記グループ通信データを送信するステップと、
を含むグループ通信方法。
【請求項２】
グループ通信サーバが、第１のユーザ機器による送信待ちのグループ通信データと、前記第１のユーザ機器にサービスを提供する第１のセルのセル識別子とを取得する前記ステップは、
前記グループ通信サーバが、前記第１のユーザ機器又は基地局によって送信された第１のグループ通信情報を受信及び解析するステップであって、前記第１のグループ通信情報は、前記グループ通信データと前記第１のセルの前記セル識別子とを含み、前記基地局は、前記第１のユーザ機器にサービスを提供する、ステップ、
を含む、請求項１に記載のグループ通信方法。
【請求項３】
前記第１のモバイルグループの前記グループ識別子は、前記第１のモバイルグループの通信レイヤグループ識別子、前記第１のモバイルグループのアプリケーションレイヤグループ識別子、又は前記第１のモバイルグループのエリア識別子である、
請求項１に記載のグループ通信方法。
【請求項４】
第１のユーザ機器が、第１の識別子を取得するステップであって、前記第１の識別子は、第１のセルのセル識別子又は第１のモバイルグループのグループ識別子であり、前記第１のセルは前記第１のユーザ機器にサービス提供し、グループ通信サーバは、前記第１のモバイルグループにおいてのみ、前記第１のユーザ機器とグループ通信データを伝送する、ステップと、
前記第１のユーザ機器が、前記第１の識別子及び送信待ちのグループ通信データを前記グループ通信サーバに送信するステップと、
を含むグループ通信方法。
【請求項５】
第１のユーザ機器が第１のモバイルグループのグループ識別子を取得する前記ステップは、
前記第１のユーザ機器が、前記第１のユーザ機器の位置する前記第１のセルの前記セル識別子を取得するステップと、
前記第１のユーザ機器が、前記第１のセルの前記セル識別子に従って、第２の事前設定された対応関係から、前記第１のセルの前記セル識別子に対応する前記第１のモバイルグループの前記グループ識別子を取得するステップであって、前記第２の事前設定された対応関係は、前記第１のセルの前記セル識別子と、前記第１のモバイルグループの前記グループ識別子との間の対応関係である、ステップと、
を含む、請求項４に記載のグループ通信方法。
【請求項６】
前記第１のモバイルグループの前記グループ識別子は、前記第１のモバイルグループの通信レイヤグループ識別子、前記第１のモバイルグループのアプリケーションレイヤグループ識別子、又は前記第１のモバイルグループのエリア識別子である、
請求項４又は５に記載のグループ通信方法。
【請求項７】
前記第１のモバイルグループの前記グループ識別子は、前記第１のモバイルグループの前記アプリケーションレイヤグループ識別子であり、
前記第１のユーザ機器が、前記第１のモバイルグループの前記アプリケーションレイヤグループ識別子を取得する前記ステップは、
前記第１のユーザ機器が、前記第１のモバイルグループの前記通信レイヤグループ識別子を取得するステップと、
前記第１のユーザ機器が、前記第１のモバイルグループの前記通信レイヤグループ識別子に従って、第３の事前設定された対応関係から、前記第１のモバイルグループの前記通信レイヤグループ識別子に対応する前記第１のモバイルグループの前記アプリケーションレイヤグループ識別子を取得するステップであって、前記第３の事前設定された対応関係は、前記第１のモバイルグループの前記通信レイヤグループ識別子と、前記第１のモバイルグループの前記アプリケーションレイヤグループ識別子との間の対応関係である、ステップと、
を含む、請求項６に記載のグループ通信方法。
【請求項８】
グループ通信サーバであって、
第１のユーザ機器による送信待ちのグループ通信データと、第１のセルのセル識別子とを取得するように構成される取得ユニットであって、前記第１のセルは前記第１のユーザ機器にサービスを提供し、前記第１のセルの前記セル識別子に従って、第１の事前設定された対応関係から、前記第１のセルの前記セル識別子に対応する第１のモバイルグループのグループ識別子を取得するように構成され、前記第１の事前設定された対応関係は、前記第１のセルの前記セル識別子と、前記第１のモバイルグループの前記グループ識別子との間の対応関係である、取得ユニットと、
前記取得ユニットによって取得された前記第１のモバイルグループの前記グループ識別子に従って、前記第１のモバイルグループの前記第１のユーザ機器以外のユーザ機器に、前記グループ通信データを送信するように構成される送信ユニットと、
を備えるグループ通信サーバ。
【請求項９】
前記取得ユニットは、前記第１のユーザ機器又は基地局によって送信された第１のグループ通信情報を受信及び解析するように構成され、前記第１のグループ通信情報は、前記グループ通信データと前記第１のセルの前記セル識別子とを含み、前記基地局は、前記第１のユーザ機器にサービスを提供する、
請求項８に記載のグループ通信サーバ。
【請求項１０】
前記第１のモバイルグループの前記グループ識別子は、前記第１のモバイルグループの通信レイヤグループ識別子、前記第１のモバイルグループのアプリケーションレイヤグループ識別子、又は前記第１のモバイルグループのエリア識別子である、
請求項８に記載のグループ通信サーバ。
【請求項１１】
ユーザ機器であって、
第１の識別子を取得するように構成される取得ユニットであって、前記第１の識別子は、第１のセルのセル識別子又は第１のモバイルグループのグループ識別子であり、前記第１のセルは前記ユーザ機器にサービス提供し、グループ通信サーバは、前記第１のモバイルグループにおいてのみ、前記ユーザ機器とグループ通信データを伝送する、取得ユニットと、
前記取得ユニットによって取得された前記第１の識別子と、送信待ちのグループ通信データとを、前記グループ通信サーバに送信するように構成される送信ユニットと、
を備えるユーザ機器。
【請求項１２】
前記取得ユニットは、
前記ユーザ機器の位置する前記第１のセルの前記セル識別子を取得するように構成され、
前記第１のセルの前記セル識別子に従って、第２の事前設定された対応関係から、前記第１のセルの前記セル識別子に対応する前記第１のモバイルグループの前記グループ識別子を取得するように構成され、前記第２の事前設定された対応関係は、前記第１のセルの前記セル識別子と、前記第１のモバイルグループの前記グループ識別子とを記憶している、
請求項１１に記載のユーザ機器。
【請求項１３】
前記第１のモバイルグループの前記グループ識別子は、前記第１のモバイルグループの通信レイヤグループ識別子、前記第１のモバイルグループのアプリケーションレイヤグループ識別子、又は前記第１のモバイルグループのエリア識別子である、
請求項１１又は１２に記載のユーザ機器。
【請求項１４】
前記第１のモバイルグループの前記グループ識別子は、前記第１のモバイルグループの前記アプリケーションレイヤグループ識別子であり、
前記取得ユニットは、
前記第１のモバイルグループの前記通信レイヤグループ識別子を取得するように構成され、
前記第１のモバイルグループの前記通信レイヤグループ識別子に従って、第３の事前設定された対応関係から、前記第１のモバイルグループの前記通信レイヤグループ識別子に対応する前記第１のモバイルグループの前記アプリケーションレイヤグループ識別子を取得するように構成され、前記第３の事前設定された対応関係は、前記第１のモバイルグループの前記通信レイヤグループ識別子と、前記第１のモバイルグループの前記アプリケーションレイヤグループ識別子との間の対応関係である、
請求項１３に記載のユーザ機器。
【請求項１５】
命令を備えるコンピュータ可読記憶媒体であって、前記命令は、コンピュータによって実行されたときに、前記コンピュータに請求項１乃至７のいずれか一項に記載の方法のステップを実行させる、コンピュータ可読記憶媒体。
【手続補正２】
【補正対象書類名】明細書
【補正対象項目名】０００２
【補正方法】変更
【補正の内容】
【０００２】
新しいタイプの車両通信ネットワークとして、車両のインターネット（Ｉｎｔｅｒｎｅｔ  ｏｆ  Ｖｅｈｉｃｌｅｓ）は、車両間の無線通信と、車両と路側インフラとの間の無線通信を実現することができる。車両のインターネットでは、車両ＡがＬＴＥ（Ｌｏｎｇ  Ｔｅｒｍ  Ｅｖｏｌｕｔｉｏｎ）ネットワークを用いて車両Ａのデータをネットワーク側装置にユニキャストで送信し、ネットワーク側装置が車両Ａの周囲の車両にブロードキャスト又はマルチキャストで、車両Ａのデータを送信する。また、車両Ａが留まっているセルのエッジに車両Ａが位置している場合、車両Ａは、車両Ａが留まっているセル内の車両に比較的近接するだけでなく、隣接するセル内の車両にも非常に近接する。この場合、車両Ａのデータは、車両Ａが留まっているセル内でブロードキャストされる必要があるだけでなく、車両Ａに比較的近接しているセルでブロードキャストされる必要もある。
【手続補正３】
【補正対象書類名】明細書
【補正対象項目名】０００３
【補正方法】変更
【補正の内容】
【０００３】
現在、この技術分野のデータ伝送に最も近い技術は、ＬＴＥシステムのＧＣＳＥ（Ｇｒｏｕｐ  Ｃｏｍｍｕｎｉｃａｔｉｏｎ  Ｓｙｓｔｅｍ  Ｅｎａｂｌｅｒｓ）技術である。しかしながら、既存のＧＣＳＥ技術では、各モバイルグループに含まれるユーザ機器は不変である。車両のインターネットでは、車両Ａは、車両Ａの周囲の車両にのみデータを送信することを期待しており、車両Ａが参加するモバイルグループは常に変化している。つまり、車両のインターネットの各モバイルグループに含まれるユーザ機器は、不変ではない。
【手続補正４】
【補正対象書類名】明細書
【補正対象項目名】００５５
【補正方法】変更
【補正の内容】
【００５５】
以下、本発明の実施形態において添付図面を参照して、本発明の実施形態における技術的解決策を明確に記載する。当然ながら、記載される実施形態は、本発明の実施形態の一部に過ぎず、全部ではない。
【手続補正５】
【補正対象書類名】明細書
【補正対象項目名】００５９
【補正方法】変更
【補正の内容】
【００５９】
本明細書に記載の技術は、グループ通信サーバを備える様々な無線ネットワークシステム、例えば、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＣＤＭＡ（Ｃｏｄｅ  Ｄｉｖｉｓｉｏｎ  Ｍｕｌｔｉｐｌｅ  Ａｃｃｅｓｓ）２０００システム、広帯域符号分割多元接続（ＷＣＤＭＡ）、ロング・ターム・エボリューション（ＬＴＥ）システム、その他このタイプの通信システムに用いられてよい。
【手続補正６】
【補正対象書類名】明細書
【補正対象項目名】００６０
【補正方法】変更
【補正の内容】
【００６０】
ユーザ機器は無線端末である。無線端末は、ユーザに音声及び／又はデータ接続性を提供するデバイス、無線接続機能を有するハンドヘルドデバイス、その他の無線モデムに接続された別の処理デバイスであってよい。無線端末は、無線アクセスネットワーク（例えばＲＡＮ，Ｒａｄｉｏ  Ａｃｃｅｓｓ  Ｎｅｔｗｏｒｋ）を介して１つ以上のコアネットワークと通信することができる。無線端末は、携帯電話（「セルラ（ｃｅｌｌｕｌａｒ）」電話とも呼ばれる）やモバイル端末を備えたコンピュータなどのモバイル端末であってよく、例えば、ポータブル、ポケットサイズ、ハンドヘルド、コンピュータ内蔵又は車載のモバイル装置であってよく、音声及び／又はデータを無線アクセスネットワークと交換する。また、無線端末は、システム、加入者ユニット、加入者ステーション、モバイルステーション、モバイル、遠隔ステーション、アクセスポイント、遠隔端末、アクセス端末、ユーザ端末、ユーザエージェント又はユーザ機器と呼ばれてもよい。
【手続補正７】
【補正対象書類名】明細書
【補正対象項目名】００６１
【補正方法】変更
【補正の内容】
【００６１】
ＬＴＥシステムのＧＣＳＥ技術は、グループ通信をサポートするために、３ＧＰＰ（３ｒｄ  Ｇｅｎｅｒａｔｉｏｎ  Ｐａｒｔｎｅｒｓｈｉｐ  Ｐｒｏｊｅｃｔ）にアプリケーションレイヤの機能を導入する技術である。ＬＴＥシステムのユーザ機器は、異なるモバイルグループにグループ化され、１つのユーザ機器は、１つのモバイルグループ又は複数の異なるモバイルグループに属することができる。
【手続補正８】
【補正対象書類名】明細書
【補正対象項目名】００６２
【補正方法】変更
【補正の内容】
【００６２】
図１は、ＬＴＥシステムアーキテクチャにおけるグループ通信システムのネットワーク構造の図である。図１を参照する。ネットワークシステムは、ＧＣＳ  ＡＳ（Ｇｒｏｕｐ  Ｃｏｍｍｕｎｉｃａｔｉｏｎ  Ｓｅｒｖｉｃｅ  Ａｐｐｌｉｃａｔｉｏｎ  Ｓｅｒｖｅｒ）１００、ＰＤＮ  ＧＷ（Ｐａｃｋｅｔ  Ｄａｔａ  Ｎｅｔｗｏｒｋ  Ｇａｔｅｗａｙ）１０１、ＭＢＭＳ−ＧＷ（Ｍｕｌｔｉｍｅｄｉａ  Ｂｒｏａｄｃａｓｔ  Ｍｕｌｔｉｃａｓｔ  Ｓｅｒｖｉｃｅ  Ｇａｔｅｗａｙ）１０２、ｅＮＢ（ｅｖｏｌｖｅｄ  Ｎｏｄｅ  Ｂ）１０３及びＵＥ（Ｕｓｅｒ  Ｅｑｕｉｐｍｅｎｔ）１０４を含む。ＧＣＳ  ＡＳ１００は、ネットワークを介してＰＤＮ  ＧＷ１０１に接続され、ＧＣＳ  ＡＳ１００は、ネットワークを介してＭＢＭＳ−ＧＷ１０２に接続される。ＧＣＳ  ＡＳ１００は、ＬＴＥユニキャスト進化型パケットシステムベアラを用いてサービス伝送を実行してよく、或いは、既存のＭＢＭＳネットワークを用いてグループ通信サービスをブロードキャストしてよい。図１において、実線は、ＧＣＳ  ＡＳ１００がＬＴＥユニキャスト進化型パケットシステムベアラを用いてサービス伝送を実行することを示し、点線は、既存のＭＢＭＳネットワークを用いて、ＧＣＳ  ＡＳ１００がグループ通信サービスをブロードキャストすることを示す。
【手続補正９】
【補正対象書類名】明細書
【補正対象項目名】００６３
【補正方法】変更
【補正の内容】
【００６３】
図２は、ＬＴＥシステムアーキテクチャにおけるグループ通信システムの構造組成の概略図である。Ｅ−ＵＴＲＡＮ（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ）は、無線アクセスネットワークであり、ＵＥ１０４にアクセス無線ネットワークインタフェースを提供するｅＮＢ１０３を含む。ＢＭ−ＳＣ（Ｂｒｏａｄｃａｓｔ−Ｍｕｌｔｉｃａｓｔ  Ｓｅｒｖｉｃｅ  Ｃｅｎｔｒｅ）は、サービスレイヤのネットワーク要素であり、サービスのコンバージェンスと伝送、ユーザの認証、ＭＢＭＳサービスベアラの確立と開始、セッション制御の開始等を提供し、また、ＢＭ−ＳＣとｅＮＢ１０３との間の同期を実現することができる。ＭＢＭＳ−ＧＷ１０２は、ＢＭ−ＳＣとｅＮＢ１０３との間のノードとして、ネットワークのアクセスゲートウェイであり、ユーザデータに関連するパケットとセッション関連シグナリングの処理を担当する。Ｕｕ、Ｍ１、Ｍ３、ＳＧｉ、ＧＣ１、ＭＢ２はそれぞれインタフェースを示す。ＵＥ１０４は、アプリケーションレイヤのＧＣ１インタフェースを介して、ＧＣＳ  ＡＳ１００との接続を確立する。ＧＣ１インタフェースはアプリケーションレイヤインタフェースであるので、ＧＣ  ＡＳ１００は、受信されたグループ通信データがどのモバイルグループから来たのか知るだけでよい。したがって、ＧＣ１インタフェースが開発されているとき、パケットは、１つのモバイルグループのアプリケーションレイヤ識別子のみが含まれる。識別子は、グループ通信データがどのモバイルグループに属するのかを示すのに用いられ、そのパケットは他の識別子を搬送しない。
【手続補正１０】
【補正対象書類名】明細書
【補正対象項目名】００６８
【補正方法】変更
【補正の内容】
【００６８】
なお、本発明の実施形態で提供されるグループ通信方法、装置及びシステムは、図１及び図２に示されるようなグループ通信システムに適用され、また、地理的位置に基づいてグループ化をおこなうことによってモバイルグループが得られるグループ通信サービスに適用可能である。
【手続補正１１】
【補正対象書類名】明細書
【補正対象項目名】００７５
【補正方法】変更
【補正の内容】
【００７５】
任意に、本発明の本実施形態のグループ通信サーバは、ＬＴＥシステムにおけるＧＣＳ  ＡＳであってよく、或いは、Ｖ２Ｖ（Ｖｅｈｉｃｌｅ−ｔｏ−Ｖｅｈｉｃｌｅ）通信システムにおけるＶ２Ｖアプリケーションサーバであってよい。これは、本発明の本実施行形態において具体的に限定されない。
【手続補正１２】
【補正対象書類名】明細書
【補正対象項目名】００９３
【補正方法】変更
【補正の内容】
【００９３】
好ましくは、第１のユーザ機器がステップＳ１０１で複数のモバイルグループに加わる場合、本発明の実施形態におけるモバイルグループの通信レイヤグループ識別子は、既存のｅＭＢＭＳ（ｅｎｈａｎｃｅｄ  Ｍｕｌｔｉｍｅｄｉａ  Ｂｒｏａｄｃａｓｔ／Ｍｕｌｔｉｃａｓｔ  Ｓｅｒｖｉｃｅ）システムにおけるＴＭＧＩ（Ｔｅｍｐｏｒａｒｙ  Ｍｏｂｉｌｅ  Ｇｒｏｕｐ  Ｉｄｅｎｔｉｔｙ）である。
【手続補正１３】
【補正対象書類名】明細書
【補正対象項目名】０１３３
【補正方法】変更
【補正の内容】
【０１３３】
好ましくは、本発明の本実施形態では、第２のメッセージはＲＲＣ（Ｒａｄｉｏ  Ｒｅｓｏｕｒｃｅ  Ｃｏｎｔｒｏｌ）メッセージである。
【手続補正１４】
【補正対象書類名】明細書
【補正対象項目名】０１８６
【補正方法】変更
【補正の内容】
【０１８６】
具体的には、プロセッサ４１は、ＣＰＵ（Ｃｅｎｔｒａｌ  Ｐｒｏｃｅｓｓｉｎｇ  Ｕｎｉｔ）であってよい。プロセッサ４１は更に、別の汎用プロセッサ、ＤＳＰ（Ｄｉｇｉｔａｌ  Ｓｉｇｎａｌ  Ｐｒｏｃｅｓｓｉｎｇ）或いは別のプログラマブルロジックデバイス或いはトランジスタロジックデバイス、ディスクリートハードウェアコンポーネントなどであってよい。汎用プロセッサはマイクロプロセッサであってもよいし、或いはプロセッサは任意の従来のプロセッサなどであってもよい。
【手続補正１５】
【補正対象書類名】明細書
【補正対象項目名】０１８８
【補正方法】変更
【補正の内容】
【０１８８】
具体的には、メモリ４２は、ＲＡＭ（Ｒａｎｄｏｍ−ａｃｃｅｓｓ  Ｍｅｍｏｒｙ）などの揮発性メモリ（Ｖｏｌａｔｉｌｅ  Ｍｅｍｏｒｙ）であってよい。メモリ４２は、ＲＯＭ（Ｒｅａｄ−ｏｎｌｙ  Ｍｅｍｏｒｙ）、フラッシュメモリ（Ｆｌａｓｈ  Ｍｅｍｏｒｙ）、ＨＤＤ（Ｈａｒｄ  Ｄｉｓｋ  Ｄｒｉｖｅ）、ＳＳＤ（Ｓｏｌｉｄ−Ｓｔａｔｅ  Ｄｒｉｖｅ）等の不揮発性メモリ（Ｎｏｎ−ｖｏｌａｔｉｌｅ  Ｍｅｍｏｒｙ）であってもよい。メモリ４２は更に、上述のタイプのメモリの組合わせであってよい。
【手続補正１６】
【補正対象書類名】明細書
【補正対象項目名】０２０８
【補正方法】変更
【補正の内容】
【０２０８】
実施形態１３
図１８に示されるように、本発明の本実施形態はグループ通信システムを提供する。本システムは、グループ通信サーバ１と、少なくとも２つの基地局２と、各基地局２に接続された少なくとも２つのユーザ機器３とを含む。
【手続補正１７】
【補正対象書類名】明細書
【補正対象項目名】０２１４
【補正方法】変更
【補正の内容】
【０２１４】
統合ユニットがソフトウェア機能ユニットの形態で実現され、独立した製品として販売又は使用される場合、統合ユニットはコンピュータ可読記憶媒体に記憶されてよい。このような理解に基づき、本発明の技術的解決策は本質的に、或いは従来技術に貢献する部分、或いは技術的解決策の全部又は一部は、ソフトウェア製品の形態で実現されてよい。ソフトウェア製品は、記憶媒体に記憶され、コンピュータ装置（パーソナルコンピュータ、サーバ、ネットワーク装置などであってよい）又はプロセッサに、本発明の実施形態に記載された方法のステップの全部又は一部を実行するように命令するためのいくつかの命令を含む。上述の記憶媒体は、ＵＳＢフラッシュドライブ、リムーバブルハードディスク、読出し専用メモリ（ＲＯＭ）、ランダムアクセスメモリ（ＲＡＭ）、磁気ディスク、光ディスク等、プログラムコードを記憶することのできる任意の媒体を含む。
【国際調査報告】
2019502334.tif 000021
2019502334.tif 000022
2019502334.tif 000023
2019502334.tif 000024